(57)【要約】【課題】解像度の低い画像の伝送規格にしか対応していない場合であっても、コストを抑えつつ解像度の低い画像信号伝送路を使用して容易により高解像度の画像を送出することができる画像送信装置、画像受信装置、画像伝送システム、および画像伝送方法を提供する。【解決手段】記録された第１の解像度の第１の画像信号をあらかじめ定められた領域マップに従って複数の部分画像に分割する分割部と、分割部で分割された領域の部分画像を順次読み出し、第１の解像度より低い第２の解像度の第２の画像信号の決められた場所に部分画像を重畳する重畳部と、部分画像に対応した部分画ナンバー情報を部分画像と同期して第２の解像度の上記第２の画像信号に重畳して伝送路に送出する送出部とを有する。【選択図】図５
2013126095.tif 000002
【特許請求の範囲】
【請求項１】
記録された第１の解像度の第１の画像信号をあらかじめ定められた領域マップに従って複数の部分画像に分割する分割部と、
上記分割部で分割された領域の部分画像を順次読み出し、上記第１の解像度より低い第２の解像度の第２の画像信号の決められた場所に上記部分画像を重畳する重畳部と、
上記部分画像に対応した部分画ナンバー情報を部分画像と同期して上記第２の解像度の上記第２の画像信号に重畳して伝送路に送出する送出部と
を有する画像送信装置。
【請求項２】
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向の画素数を上記第２の解像度の第２の画像信号の水平方向の画素数で除した値より大きい整数として、
水平垂直とも略等分割で領域マップを作成して上記第１の画像信号を分割し、
上記重畳部は、
分割された部分画像を上記第２の解像度の第２の画像信号へ重畳する際に、
上記第１の解像度の第１の画像信号の４隅にあたる部分画像は、上記第２の解像度の第２の画像信号の対応する４隅に合わせ、
上下左右辺に接する部分画像は、上記第２の解像度の第２の画像信号の対応する辺に合わせ、
４隅にあたる部分画像および上下左右に接する部分画像以外は、部分画像が上記第２の解像度の第２の画像信号の中央になるように配置し、
上記第１の解像度の第１の画像信号の部分画像領域を含む上記第２の解像度の第２の画像信号の画素分の画像信号を、当該第２の解像度の第２の画像信号に重畳する
請求項１記載の画像送信装置。
【請求項３】
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向に画素数を上記第２の解像度の第２の画像信号の水平方向の有効画素数より少ない画像数で除した値より大きい整数として、
水平垂直とも略等分割で領域マップを作成して上記第１の画像信号を分割し、
上記重畳部は、
分割された部分画像を、上記第２の解像度の第２の画像信号の垂直方向のライン数と第２の解像度の第２の画像信号に水平方向の画素数より少ない画像数とに応じた範囲をもって形成される上記第２の解像度の第２の画像信号の画素領域へ重畳する際に、
上記第１の解像度の第１の画像信号の４隅にあたる部分画像は、上記第２の解像度の第２の画像信号の上記画素領域の対応する４隅に合わせ、
上下左右辺に接する部分画像は、上記第２の解像度の第２の画像信号の上記画素領域の対応する辺に合わせ、
４隅にあたる部分画像および上下左右に接する部分画像以外は、部分画像が上記第２の解像度の第２の画像信号の上記画素領域の中央になるように配置し、
上記第１の解像度の第１の画像信号の部分画像領域を含む上記第２の解像度の第２の画像信号の上記画素領域分の画像信号を、当該第２の解像度の第２の画像信号に重畳し、
上記送出部は、
上記第１の解像度の第１の画像信号を重畳していない余白部分である上記第２の解像度の第２の画像信号のサブデータ領域に上記部分画ナンバー情報を部分画像と同期して重畳する
請求項１記載の画像送信装置。
【請求項４】
部分画像の特徴量を計測する計測部を有し、
上記送出部は、
上記計測部で計測した特徴量値を部分画像と同期して上記第２の解像度の第２の信号の上記余白部分である上記画サブデータ域に重畳する
請求項３記載の画像送信装置。
【請求項５】
上記重畳部は、
上記第２の解像度の第２の信号の上記余白部分である上記サブデータ領域にマーカー信号を重畳する
請求項３記載の画像送信装置。
【請求項６】
第１の解像度の第１の画像信号をあらかじめ定められた領域マップに従って複数に分割した部分画像が、上記第１の解像度より低い第２の解像度の第２の画像信号の決められた場所に重畳され、かつ、上記部分画像に対応した部分画ナンバー情報が部分画像と同期して上記第２の解像度の上記第２の画像信号に重畳された受信信号を受信する受信部と、
上記受信信号である上記第２の解像度の第２の画像信号に重畳された部分画ナンバー情報を読み出す部分画ナンバー情報読み出し部と、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、
生成されたアドレスに従って上記第２の解像度の第２の画像信号に重畳された部分画像を書き込む書き込み部と、
順次入力される上記第２の解像度の第２の画像信号に重畳された複数の部分画像から元の上記第１の解像度の第１の画像信号すべてが書き込まれたかを判定する判定部と、
すべて書き込まれたと判定された後、書き込まれた上記第１の解像度の第１の画像信号を再生する再生部と
を有する画像受信装置。
【請求項７】
上記受信信号には、上記第１の解像度の第１の画像信号の部分画像の特徴量の計測値が重畳されており、
上記受信信号である上記第２の解像度の第２の画像信号に重畳された部分画像から前記特徴量を計測する計測部と、
上記受信信号に重畳されている特徴量の計測値と上記計測部で計測した特徴量の差分をなくすように少なくとも受信した部分画像レベルを補正する補正部と、を含む
請求項６記載の画像受信装置。
【請求項８】
上記受信信号である上記第２の解像度の第２の画像信号には、マーカー信号が重畳されており、
上記受信信号である上記第２の解像度の第２の画像信号に重畳されたマーカー信号を計測する計測部と、
上記受信信号である上記第２の解像度の第２の画像信号に重畳されている元のマーカー信号と上記計測部で計測したマーカー信号の差分をなくすように少なくとも受信した部分画像レベルを補正する補正部と、を含む
請求項６記載の画像受信装置。
【請求項９】
上記受信信号である上記第２の解像度の第２の画像信号には、マーカー信号が重畳されており、
上記マーカー信号が最小レベルから最大レベルまでリニアに変化するレベル信号であり、
上記受信信号である上記第２の解像度の第２の画像信号に重畳されたマーカー信号のレベルを計測する計測部と、
計測されたレベル信号を上記受信信号に重畳されているマーカー信号のレベル信号と同じレベルにするような変換テーブルデータを作成するテーブル作成部と、
作成された変換テーブルデータを使用して受信された部分画像を、上記第２の解像度の第２の画像信号に重畳された部分画像と同じ信号レベルになるように変換するレベル変換処理部と、を含む
請求項６記載の画像受信装置。
【請求項１０】
第１の解像度の第１の画像信号を上記第１の解像度より低い第２の解像度の第２の画像信号に重畳して送出する画像送信装置と、
上記画像送信装置から送出された上記第２の解像度の第２の画像信号を受信し、当該第２の画像信号に重畳された第１の解像度の第１の画像信号を再生する画像受信装置と、を有し、
上記画像送信装置は、
記録された上記第１の解像度の第１の画像信号をあらかじめ定められた領域マップに従って複数の部分画像に分割する分割部と、
上記分割部で分割された領域の部分画像を順次読み出し、上記第１の解像度より低い上記第２の解像度の第２の画像信号の決められた場所に上記部分画像を重畳する重畳部と、
上記部分画像に対応した部分画ナンバー情報を部分画像と同期して上記第２の解像度の上記第２の画像信号に重畳して伝送路に送出する送出部と、を含み、
上記画像受信装置は、
受信信号である上記第２の解像度の第２の画像信号に重畳された部分画ナンバー情報を読み出す部分画ナンバー情報読み出し部と、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、
生成されたアドレスに従って上記第２の解像度の第２の画像信号に重畳された部分画像を書き込む書き込み部と、
順次入力される上記第２の解像度の第２の画像信号に重畳された複数の部分画像から元の上記第１の解像度の第１の画像信号すべてが書き込まれたかを判定する判定部と、
すべて書き込まれたと判定された後、書き込まれた上記第１の解像度の第１の画像信号を再生する再生部と、を含む
画像伝送システム。
【請求項１１】
上記画像送信装置において、
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向の画素数を上記第２の解像度の第２の画像信号の水平方向の画素数で除した値より大きい整数として、
水平垂直とも略等分割で領域マップを作成して上記第１の画像信号を分割し、
上記重畳部は、
分割された部分画像を上記第２の解像度の第２の画像信号へ重畳する際に、
上記第１の解像度の第１の画像信号の４隅にあたる部分画像は、上記第２の解像度の第２の画像信号の対応する４隅に合わせ、
上下左右辺に接する部分画像は、上記第２の解像度の第２の画像信号の対応する辺に合わせ、
４隅にあたる部分画像および上下左右に接する部分画像以外は、部分画像が上記第２の解像度の第２の画像信号の中央になるように配置し、
上記第１の解像度の第１の画像信号の部分画像領域を含む上記第２の解像度の第２の画像信号の画素分の画像信号を、当該第２の解像度の第２の画像信号に重畳する
請求項１０記載の画像伝送システム。
【請求項１２】
上記画像送信装置において、
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向に画素数を上記第２の解像度の第２の画像信号の水平方向の有効画素数より少ない画像数で除した値より大きい整数として、
水平垂直とも略等分割で領域マップを作成して上記第１の画像信号を分割し、
上記重畳部は、
分割された部分画像を、上記第２の解像度の第２の画像信号の垂直方向のライン数と第２の解像度の第２の画像信号に水平方向の画素数より少ない画像数とに応じた範囲をもって形成される上記第２の解像度の第２の画像信号の画素領域へ重畳する際に、
上記第１の解像度の第１の画像信号の４隅にあたる部分画像は、上記第２の解像度の第２の画像信号の上記画素領域の対応する４隅に合わせ、
上下左右辺に接する部分画像は、上記第２の解像度の第２の画像信号の上記画素領域の対応する辺に合わせ、
４隅にあたる部分画像および上下左右に接する部分画像以外は、部分画像が上記第２の解像度の第２の画像信号の上記画素領域の中央になるように配置し、
上記第１の解像度の第１の画像信号の部分画像領域を含む上記第２の解像度の第２の画像信号の上記画素領域分の画像信号を、当該第２の解像度の第２の画像信号に重畳し、
上記送出部は、
上記第１の解像度の第１の画像信号を重畳していない余白部分である上記第２の解像度の第２の画像信号のサブデータ領域に上記部分画ナンバー情報を部分画像と同期して重畳し、
上記画像受信装置は、
受信信号である上記第２の解像度の第２の画像信号の上記余白部分である上記サブデータ領域に重畳された部分画ナンバー情報を読み出す読み出し部を含む
請求項１０記載の画像伝送システム。
【請求項１３】
上記画像送信装置は、
部分画像の特徴量を計測する送信側計測部を有し、
上記送出部は、
上記計測部で計測した特徴量値を部分画像と同期して上記第２の解像度の第２の信号の上記余白部分である上記サブデータ領域に重畳し、
上記画像受信装置は、
上記受信信号である上記第２の解像度の第２の画像信号に重畳された部分画像から前記特徴量を計測する受信側計測部と、
上記受信信号である第２の解像度の第２の画像信号に重畳されている特徴量の計測値と上記計測部で計測した特徴量の差分をなくすように少なくとも受信した部分画像レベルを補正する補正部と、を含む
請求項１２記載の画像伝送システム。
【請求項１４】
上記特徴量が部分画像の平均値または中央値であり、
上記画像受信装置において、
上記補正部は、
上記受信信号である上記第２の解像度の第２の画像信号に重畳されている部分画像の平均値または中央値が、当該第２の解像度の第２の画像信号に重畳された平均値または中央値になるように受信した部分画像レベルを補正する
請求項１３記載の画像伝送システム。
【請求項１５】
上記特徴量が部分画像の平均値と分散値、または中央値と分散値であり、
上記画像受信装置において、
上記受信側計測部は、
上記受信信号である上記第２の解像度の第２の画像信号に重畳された部分画像の平均値または中央値、および分散値を計測し、
上記補正部は、
上記受信信号である上記第２の解像度の第２の画像信号に重畳されている部分画像の平均値または中央値、および分散値が、当該第２の解像度の第２の画像信号に重畳された平均値または中央値、および分散値になるように受信した部分画像レベルおよびゲインを補正する
請求項１３記載の画像伝送システム。
【請求項１６】
上記画像送信装置において、
上記重畳部は、
上記第２の解像度の第２の画像信号の上記余白部分である上記サブデータ領域にマーカー信号を重畳し、
上記画像受信装置は、
上記受信信号である上記第２の解像度の第２の画像信号に重畳されたマーカー信号を計測する計測部と、
上記受信信号に重畳されている元のマーカー信号と上記計測部で計測したマーカー信号の差分をなくすように少なくとも受信した部分画像レベルを補正する補正部と、を含む
請求項１２記載の画像伝送システム。
【請求項１７】
上記受信信号である上記第２の解像度の第２の画像信号には、マーカー信号が重畳されており、
上記マーカー信号が最小レベルから最大レベルまでリニアに変化するレベル信号であり、
上記画像受信装置は、
上記受信信号である上記第２の解像度の第２の画像信号に重畳されたマーカー信号のレベルを計測する計測部と、
計測されたレベル信号を上記受信信号に重畳されているマーカー信号のレベル信号と同じレベルにするような変換テーブルデータを作成するテーブル作成部と、
作成された変換テーブルデータを使用して受信された部分画像を、上記第２の解像度の第２の画像信号に重畳された部分画像と同じ信号レベルになるように変換するレベル変換処理部と、を含む
請求項１２記載の画像伝送システム。
【請求項１８】
上記受信信号である上記第２の解像度の第２の画像信号には、マーカー信号が重畳されており、
上記マーカー信号がＲＧＢ３色の１２．５ＩＲＥ，５０ＩＲＥ，８７．５ＩＲＥを表すレベル信号であり、
上記画像受信装置は、
ＦＨＤ信号に重畳されたマーカー信号のレベルを計測する計測する計測部と、
計測されたＲＧＢレベル信号が０，５０，１００ＩＲＥレベルになるように受信された部分画像のＲＧＢレベル補正を行う補正部と、を含む
請求項１０、１２または１６記載の画像伝送システム。
【請求項１９】
第１の解像度の第１の画像信号を上記第１の解像度より低い第２の解像度の第２の画像信号に重畳して送出する画像送信ステップと、
上記画像送信ステップで送出された上記第２の解像度の第２の画像信号を受信し、当該第２の画像信号に重畳された第１の解像度の第１の画像信号を再生する画像受信ステップと、を有し、
上記画像送信ステップは、
記録された上記第１の解像度の第１の画像信号をあらかじめ定められた領域マップに従って複数の部分画像に分割する分割ステップと、
上記分割ステップで分割された領域の部分画像を順次読み出し、上記第１の解像度より低い上記第２の解像度の第２の画像信号の決められた場所に上記部分画像を重畳する重畳ステップと、
上記部分画像に対応した部分画ナンバー情報を部分画像と同期して上記第２の解像度の上記第２の画像信号に重畳して伝送路に送出する送出ステップと、を含み、
上記画像受信ステップは、
受信信号である上記第２の解像度の第２の画像信号に重畳された部分画ナンバー情報を読み出す部分画ナンバー情報読み出しステップと、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成ステップと、
生成されたアドレスに従って上記第２の解像度の第２の画像信号に重畳された部分画像を書き込む書き込みステップと、
順次入力される上記第２の解像度の第２の画像信号に重畳された複数の部分画像から元の上記第１の解像度の第１の画像信号すべてが書き込まれたかを判定する判定ステップと、
すべて書き込まれたと判定された後、書き込まれた上記第１の解像度の第１の画像信号を再生する再生ステップと、を含む
画像伝送方法。
【発明の詳細な説明】
【技術分野】
【０００１】
本技術は、４Ｋ２Ｋ静止画像等の画像を処理する画像送信装置、画像受信装置、画像伝送システム、および画像伝送方法に関するものである。
【背景技術】
【０００２】
たとえば、４Ｋ２Ｋ ＬＣＤパネルなどの表示デバイスを使用することにより、４０９６×２１６０画素までの解像度を持つ画像を表示することができる。
【０００３】
また、高解像度固体撮像素子を使用した撮像装置（デジタルスチルカメラ）により、４０９６×２１６０画素あるいはこれを超える高解像度画像データを得ることができる。
【０００４】
特許文献１には、４Ｋ２Ｋ画像に２Ｋ１Ｋ画像を複数枚貼り付けて、貼り付け情報とともに伝送することにより、４Ｋ２Ｋ解像度のまま２Ｋ１Ｋ画像を伝送する技術が開示されている。
【先行技術文献】
【特許文献】
【０００５】
【特許文献１】特開２０１１−１７６５３７号公報
【発明の概要】
【発明が解決しようとする課題】
【０００６】
しかし、従来の多くの撮像装置のように、信号伝送仕様が４０９６×２１６０の解像度に満たないＦＨＤ(1920×1080)の信号出力までしか対応していない記録・再生装置では４０９６×２１６０表示装置へ４Ｋ２Ｋ画像を送出することができない。したがって、従来の撮像装置では、直接４Ｋ２Ｋ画像を表示することができない。
【０００７】
４Ｋ２Ｋ ＬＣＤパネルなどの表示デバイスを使用した表示装置へ４Ｋ２Ｋ静止画像を表示する場合、記録・再生装置から４Ｋ２Ｋ表示装置へ４Ｋ２Ｋ信号を伝送する必要がある。
そのため、記録・再生装置を４Ｋ２Ｋ信号伝送仕様に対応したものに置き換えるなど、コストがかかる問題点があった。
【０００８】
また、４Ｋ２Ｋ静止画を上下左右４分割した部分画をＦＨＤ信号４枚に直して伝送する場合においては、４Ｋ２Ｋ表示装置で４枚を合成した場合に途中の信号処理等での端処理の問題が発生し、４Ｋ２Ｋ信号復元時に境界に不連続点が発生し目立つ問題が有る。
また上記不具合を回避するために、途中の信号処理用にのりしろ期間を付加してＦＨＤ信号を生成した場合は、元の４Ｋ２Ｋ静止画像のすべての領域を伝送できない問題が有る。
【０００９】
また、上記ＦＨＤ信号４枚に直して伝送した場合、４枚の信号が独立した画面となる。  そのため、途中の信号処理等で、１枚毎の画面で独自の信号補正がなされた場合、４枚の部分画間で信号特性が合わなくなり４Ｋ２Ｋ信号復元時に上下左右の領域で信号レベル、色合い等が不一致となり、復元した４Ｋ２Ｋ信号の画質品位を大きく損ねたり、上下左右の領域の境界で不連続点が発生し目立つ問題が有る。
【００１０】
本技術は、解像度の低い画像の伝送規格にしか対応していない場合であっても、コストを抑えつつ当該解像度の低い画像信号伝送路を使用して容易により高解像度の画像を送出することができる画像送信装置、画像受信装置、画像伝送システム、および画像伝送方法を提供することにある。
【課題を解決するための手段】
【００１１】
本技術の第１の観点の画像送信装置は、記録された第１の解像度の第１の画像信号をあらかじめ定められた領域マップに従って複数の部分画像に分割する分割部と、上記分割部で分割された領域の部分画像を順次読み出し、上記第１の解像度より低い第２の解像度の第２の画像信号の決められた場所に上記部分画像を重畳する重畳部と、上記部分画像に対応した部分画ナンバー情報を部分画像と同期して上記第２の解像度の上記第２の画像信号に重畳して伝送路に送出する送出部とを有する。
【００１２】
本技術の第２の観点の画像受信装置は、第１の解像度の第１の画像信号をあらかじめ定められた領域マップに従って複数に分割した部分画像が、上記第１の解像度より低い第２の解像度の第２の画像信号の決められた場所に重畳され、かつ、上記部分画像に対応した部分画ナンバー情報が部分画像と同期して上記第２の解像度の上記第２の画像信号に重畳された受信信号を受信する受信部と、上記受信信号である上記第２の解像度の第２の画像信号に重畳された部分画ナンバー情報を読み出す部分画ナンバー情報読み出し部と、読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、生成されたアドレスに従って上記第２の解像度の第２の画像信号に重畳された部分画像を書き込む書き込み部と、順次入力される上記第２の解像度の第２の画像信号に重畳された複数の部分画像から元の上記第１の解像度の第１の画像信号すべてが書き込まれたかを判定する判定部と、すべて書き込まれたと判定された後、書き込まれた上記第１の解像度の第１の画像信号を再生する再生部とを有する。
【００１３】
本技術の第３の観点の画像伝送システムは、第１の解像度の第１の画像信号を上記第１の解像度より低い第２の解像度の第２の画像信号に重畳して送出する画像送信装置と、上記画像送信装置から送出された上記第２の解像度の第２の画像信号を受信し、当該第２の画像信号に重畳された第１の解像度の第１の画像信号を再生する画像受信装置と、を有し、上記画像送信装置は、記録された上記第１の解像度の第１の画像信号をあらかじめ定められた領域マップに従って複数の部分画像に分割する分割部と、上記分割部で分割された領域の部分画像を順次読み出し、上記第１の解像度より低い上記第２の解像度の第２の画像信号の決められた場所に上記部分画像を重畳する重畳部と、上記部分画像に対応した部分画ナンバー情報を部分画像と同期して上記第２の解像度の上記第２の画像信号に重畳して伝送路に送出する送出部と、を含み、上記画像受信装置は、受信信号である上記第２の解像度の第２の画像信号に重畳された部分画ナンバー情報を読み出す部分画ナンバー情報読み出し部と、読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、生成されたアドレスに従って上記第２の解像度の第２の画像信号に重畳された部分画像を書き込む書き込み部と、順次入力される上記第２の解像度の第２の画像信号に重畳された複数の部分画像から元の上記第１の解像度の第１の画像信号すべてが書き込まれたかを判定する判定部と、すべて書き込まれたと判定された後、書き込まれた上記第１の解像度の第１の画像信号を再生する再生部と、を含む。
【００１４】
本技術の第４の観点の画像伝送方法は、第１の解像度の第１の画像信号を上記第１の解像度より低い第２の解像度の第２の画像信号に重畳して送出する画像送信ステップと、上記画像送信ステップで送出された上記第２の解像度の第２の画像信号を受信し、当該第２の画像信号に重畳された第１の解像度の第１の画像信号を再生する画像受信ステップと、を有し、上記画像送信ステップは、記録された上記第１の解像度の第１の画像信号をあらかじめ定められた領域マップに従って複数の部分画像に分割する分割ステップと、上記分割ステップで分割された領域の部分画像を順次読み出し、上記第１の解像度より低い上記第２の解像度の第２の画像信号の決められた場所に上記部分画像を重畳する重畳ステップと、上記部分画像に対応した部分画ナンバー情報を部分画像と同期して上記第２の解像度の上記第２の画像信号に重畳して伝送路に送出する送出ステップと、を含み、上記画像受信ステップは、受信信号である上記第２の解像度の第２の画像信号に重畳された部分画ナンバー情報を読み出す部分画ナンバー情報読み出しステップと、読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成ステップと、生成されたアドレスに従って上記第２の解像度の第２の画像信号に重畳された部分画像を書き込む書き込みステップと、順次入力される上記第２の解像度の第２の画像信号に重畳された複数の部分画像から元の上記第１の解像度の第１の画像信号すべてが書き込まれたかを判定する判定ステップと、すべて書き込まれたと判定された後、書き込まれた上記第１の解像度の第１の画像信号を再生する再生ステップと、を含む。
【発明の効果】
【００１５】
本技術によれば、解像度の低い画像の伝送規格にしか対応していない場合であっても、コストを抑えつつ当該解像度の低い画像信号伝送路を使用して容易により高解像度の画像を送出することができる。
【図面の簡単な説明】
【００１６】
【図１】本実施形態に係る画像伝送システムである４Ｋ２Ｋ静止画像伝送システムの基本的概念を示す図である。
【図２】垂直方向の分割数Ｎを３、水平方向の分割数Ｍを４としたときの４Ｋ２Ｋ静止画像の信号分割例を示す図である。
【図３】垂直方向の分割数Ｎを３、水平方向の分割数Ｍを４としたときのＦＨＤ信号へ重畳する４Ｋ２Ｋ信号領域の一例を示す図である。
【図４】部分画ナンバー情報の伝送方法例を説明するための図である。
【図５】本実施形態に係る４Ｋ２Ｋ静止画像伝送システムの具体的な第１の構成例を示す図である。
【図６】４Ｋ２Ｋ信号記録・再生装置から４Ｋ２Ｋ表示装置へのＦＨＤ信号伝送シーケンスの一例を示す図である。
【図７】ＦＨＤ信号に４Ｋ２Ｋ静止画像の部分画とサブデータを重畳する場合のＦＨＤ信号内領域の構成例を示す図である。
【図８】図７の構成を有するＦＨＤ信号への部分画の重畳方法について説明するための図であって、垂直方向の分割数Ｎ´を３、水平方向の分割数Ｍ´を４としたときのＦＨＤ信号へ重畳する４Ｋ２Ｋ信号領域の一例を示す図である。
【図９】本実施形態に係る４Ｋ２Ｋ静止画像伝送システムの具体的な第２の構成例を示す図である。
【図１０】本実施形態に係る４Ｋ２Ｋ信号再生装置における境界処理の一例について説明するための図である。
【図１１】本実施形態に係る４Ｋ２Ｋ静止画像伝送システムの具体的な第３の構成例を示す図である。
【図１２】本実施形態に係る４Ｋ２Ｋ静止画像伝送システムの具体的な第４の構成例を示す図である。
【図１３】本実施形態に係る変換テーブルについて説明するための図である。
【発明を実施するための形態】
【００１７】
以下、本技術の実施形態を図面に関連付けて説明する。
なお、説明は以下の順序で行う。
１．画像伝送システムの基本的概念
２．画像伝送システムの具体的な第１の構成例
３．画像伝送システムの具体的な第２の構成例
４．画像伝送システムの具体的な第３の構成例
５．画像伝送システムの具体的な第４の構成例
【００１８】
本実施形態においては、画像伝送システムとして、４Ｋ２Ｋ静止画像伝送システムを例に説明する。ただし、本技術は、４Ｋ２Ｋ静止画像伝送に限らず、たとえば他の解像度の画像の伝送あるいは動画の伝送にも適用可能である。
本実施形態において、４Ｋ２Ｋ信号が第１の解像度の第１の画像信号に相当し、ＦＨＤ信号が第２の解像度の第２の画像信号に相当する。
【００１９】
＜１．画像伝送システムの基本的概念＞
図１は、本実施形態に係る画像伝送システムである４Ｋ２Ｋ静止画像伝送システムの基本的概念を示す図である。
【００２０】
本実施形態に係る４Ｋ２Ｋ静止画像伝送システム１０は、画像送信装置としての４Ｋ２Ｋ信号記録・再生装置２０、画像受信装置としての４Ｋ２Ｋ信号再生（表示）装置３０、およびＦＨＤ信号伝送路４０を含んで構成されている。
【００２１】
［４Ｋ２Ｋ静止画像伝送システムの動作概念］
本実施形態に係る４Ｋ２Ｋ静止画像伝送システム１０の動作概念を図１等に関連付けて説明する。
【００２２】
ＦＨＤ信号ＳＦＨＤを出力可能な４Ｋ２Ｋ信号記録・再生装置２０において、４Ｋ２Ｋ静止画像ＳＩＭの部分画ＰＩＭをＦＨＤ信号として順次再生する。
４Ｋ２Ｋ信号再生装置３０側では、順次送られてくるＦＨＤ信号ＳＦＨＤに重畳された部分画像（部分画）ＰＩＭの内、ＦＨＤ画像内の決められた範囲の画像データについて内蔵する４Ｋ２Ｋフレームメモリ３０１の所定の場所に書き込む。
所定枚数の部分画ＰＩＭを伝送し、４Ｋ２Ｋフレームメモリ３０１へ順次書き込むことにより、４Ｋ２Ｋフレームメモリ３０１上に目的とする４Ｋ２Ｋ静止画像ＳＩＭを合成したあと、４Ｋ２Ｋフレームメモリ３０１より読み出し再生する。
【００２３】
［４Ｋ２Ｋ静止画像から部分画を生成する分割方法］
次に、４Ｋ２Ｋ静止画像から部分画を生成する分割方法について説明する。
４Ｋ２Ｋ静止画像ＳＩＭの分割は、垂直（Ｖ）方向の分割数ＮはＮ＞２１６０÷１０８０となる整数（３以上の整数）、水平（Ｈ）方向の分割数ＭはＭ＞４０９６÷１９２０となる整数（３以上の整数）、を選択し水平垂直とも略均等に分割を行う。
各部分画ＰＩＭの分割位置は固定値とし部分画ナンバー毎に位置を確定させる。部分画ＰＩＭの総画像枚数はＮ×Ｍ枚、となる。
【００２４】
［４Ｋ２Ｋ静止画像の分割例］
図２は、垂直方向の分割数Ｎを３、水平方向の分割数Ｍを４としたときの４Ｋ２Ｋ静止画像の信号分割例を示す図である。
【００２５】
４Ｋ２Ｋ静止画像信号(2160ライン×4096画素)について、垂直分割数Ｎを３、水平分割数Ｍを４として等分割することにより、垂直７２０ライン、水平１０２４画素の部分画ＰＩＭを１２画面生成する。
垂直方向は２１６０ラインを３等分割し、１〜７２０ライン、７２１〜１４４０ライン、１４４１〜２１６０ラインの３領域へ分割する。
水平方向は、４０９６画素を４等分割し、１〜１０２４画素、１０２５〜２０４８画素、２０４９〜３０７２画素、３０７３〜４０９６画素の４領域へ分割する。
以上の分割により、部分画ナンバー＜１＞〜＜１２＞で示した１２面の７２０×１０２４画素サイズの部分画ＰＩＭ１〜ＰＩＭ１２を得る。
【００２６】
［ＦＨＤ信号への部分画の重畳方法の一例］
次に、ＦＨＤ信号への部分画の重畳方法の一例について説明する。
分割され生成された部分画ＰＩＭを、ＦＨＤ信号ＳＦＤＨの有効画像領域へ重畳するに際しては、４Ｋ２Ｋ信号の上下左右辺ＥＵ，ＥＢ，ＥＬ，ＥＲを含む部分画領域はＦＨＤ信号有効領域の対応する上下左右辺に合わせる。
四辺以外の分割画領域は、ＦＨＤ画像の中心へ部分画領域が配置されるようにＦＨＤ信号へ重畳し、部分画領域を中心とした１０８０x１９２０画像領域をＦＨＤ信号有効領域へ張り付ける。
【００２７】
図３は、垂直方向の分割数Ｎを３、水平方向の分割数Ｍを４としたときのＦＨＤ信号へ重畳する４Ｋ２Ｋ信号領域の一例を示す図である。
【００２８】
本実施形態の画像送信装置としての４Ｋ２Ｋ信号記録・再生装置２０においてＦＨＤ信号への部分画の重畳は次のように行われる。
４Ｋ２Ｋ信号の１２面分割画像について、まず部分画ナンバー＜１＞である上部左部分画像ＰＩＭ１のＦＨＤ信号への張り付けについては、４Ｋ２Ｋ信号の左上画素となる１ライン１画素目を基準とする。この基準から１０８０×１９２０画素領域をＦＨＤ信号の有効画素領域とすることにより、４Ｋ２Ｋ信号の左上画素をＦＨＤ信号の左上画素に合わせる。
【００２９】
次に、部分画ナンバー＜２＞である上部２番目部分画像ＰＩＭ２のＦＨＤ信号への張り付けについては、４Ｋ２Ｋ信号の１ライン５７７画素目を基準として、そこから１０８０×１９２０画素領域をＦＨＤ信号の有効画素領域とする。
これにより、４Ｋ２Ｋ信号上の部分画ＰＩＭ２、水平領域１０２５〜２０４８画素が、ＦＨＤ信号有効画素領域上の４４９〜１４７２画素領域へ重畳されＦＨＤ信号の水平中央部に配置される。
【００３０】
同じく、部分画ナンバー＜３＞である上部３番目部分画像ＰＩＭ３については、４Ｋ２Ｋ信号の１ライン１６０１画素目を基準として、１０８０×１９２０画素領域をＦＨＤ信号有効領域とする。
これにより、４Ｋ２Ｋ信号上の部分画ＰＩＭ３、水平領域２０４９〜３０７２画素が、ＦＨＤ信号有効画素領域上の４４９〜１４７２画素領域へ重畳されＦＨＤ信号の水平中央部に配置される。
【００３１】
次に、部分画ナンバー＜４＞である上部右部分画像ＰＩＭ４については、４Ｋ２Ｋ信号の１ライン２１７７画素目を基準として、１０８０×１９２０画素領域をＦＨＤ信号有効領域とする。
これにより、４Ｋ２Ｋ信号上の部分画ＰＩＭ４、水平領域３０７３〜４０９６画素が、ＦＨＤ信号有効画素領域上の８９７〜１９２０画素領域へ重畳され、４Ｋ２Ｋ信号の右上画素をＦＨＤ信号の右上画素の位置に合わせる。
【００３２】
次に、部分画ナンバー＜５＞である中央左部分画像ＰＩＭ５のＦＨＤ信号への張り付けについては、４Ｋ２Ｋ信号の５４１ライン１画素目を基準として、そこから１０８０×１９２０画素領域をＦＨＤ信号の有効画素領域とする。
これにより、４Ｋ２Ｋ信号上の部分画ＰＩＭ５、垂直領域７２１〜１４４０ラインがＦＨＤ信号有効画素領域の１８１〜９００ラインへ重畳される。また、４Ｋ２Ｋ信号上の部分画ＰＩＭ５、水平領域１〜１０２４画素がＦＨＤ信号有効画素領域の１〜１０２４画素へ重畳される。そして、部分画ＰＩＭ５をＦＨＤ信号の上下中央部に配置し、また４Ｋ２Ｋ信号の左辺ＥＬをＦＨＤ信号の左辺に合わせる。
【００３３】
次に、部分画ナンバー＜６＞である中央２番目部分画像ＰＩＭ６のＦＨＤ信号への張り付けについては、４Ｋ２Ｋ信号の５４１ライン５７７画素目を基準として、そこから１０８０×１９２０画素領域をＦＨＤ信号の有効画素領域とする。
これにより、４Ｋ２Ｋ信号上の部分画ＰＩＭ６、垂直領域７２１〜１４４０ラインがＦＨＤ信号有効画素領域の１８１〜９００ラインへ重畳される。また、４Ｋ２Ｋ信号上の部分画＜６＞水平領域１０２５〜２０４８画素がＦＨＤ信号有効画素領域の４４９〜１４７２画素へ重畳され、部分画ＰＩＭ６をＦＨＤ信号の上下左右中央部に配置する。
【００３４】
次に、部分画ナンバー＜７＞である中央３番目部分画像ＰＩＭ７のＦＨＤ信号への張り付けについては、４Ｋ２Ｋ信号の５４１ライン１６０１画素目を基準として、そこから１０８０×１９２０画素領域をＦＨＤ信号の有効画素領域とする。
これにより、４Ｋ２Ｋ信号上の部分画ＰＩＭ７、垂直領域７２１〜１４４０ラインがＦＨＤ信号有効画素領域の１８１〜９００ラインへ重畳される。また、４Ｋ２Ｋ信号上の部分画ＰＩＭ７、水平領域２０４９〜３０７２画素がＦＨＤ信号有効画素領域の４４９〜１４７２画素へ重畳され、部分画ＰＩＭ７をＦＨＤ信号の上下左右中央部に配置する。
【００３５】
次に、部分画ナンバー＜８＞である中央右部分画像ＰＩＭ８のＦＨＤ信号への張り付けについては、４Ｋ２Ｋ信号の５４１ライン２１７７画素目を基準として、そこから１０８０×１９２０画素領域をＦＨＤ信号の有効画素領域とする。
これにより、４Ｋ２Ｋ信号上の部分画ＰＩＭ８、垂直領域７２１〜１４４０ラインがＦＨＤ信号有効画素領域の１８１〜９００ラインへ重畳される。また、４Ｋ２Ｋ信号上の部分画ＰＩＭ８、水平領域３０７３〜４０９６画素がＦＨＤ信号有効画素領域の８９７〜１９２０画素へ重畳される。そして、部分画ＰＩＭ８をＦＨＤ信号の上下中央部に配置し、また４Ｋ２Ｋ信号の右辺ＥＲをＦＨＤ信号の右辺に合わせる。
【００３６】
次に、部分画ナンバー＜９＞である下部左部分画像ＰＩＭ９のＦＨＤ信号への張り付けについては、４Ｋ２Ｋ信号の１０８１ライン１画素目を基準として、そこから１０８０×１９２０画素領域をＦＨＤ信号の有効画素領域とする。
これにより、４Ｋ２Ｋ信号上の部分画ＰＩＭ９、垂直領域１４４１〜２１６０ラインがＦＨＤ信号有効画素領域の３６１〜１０８０ラインへ重畳される。また、４Ｋ２Ｋ信号上の部分画ＰＩＭ９、水平領域１〜１０２４画素がＦＨＤ信号有効画素領域の１〜１０２４画素へ重畳され、４Ｋ２Ｋ信号の左下画素をＦＨＤ信号の左下画素に合わせる。
【００３７】
次に、部分画ナンバー＜１０＞である下部２番目部分画像ＰＩＭ１０のＦＨＤ信号への張り付けについては、４Ｋ２Ｋ信号の１０８１ライン５７７画素目を基準として、そこから１０８０×１９２０画素領域をＦＨＤ信号の有効画素領域とする。
これにより、４Ｋ２Ｋ信号上の部分画ＰＩＭ１０、垂直領域１４４１〜２１６０ラインがＦＨＤ信号有効画素領域の３６１〜１０８０ラインへ重畳される。また、４Ｋ２Ｋ信号上の部分画ＰＩＭ１０、水平領域１０２５〜２０４８画素がＦＨＤ信号有効画素領域の４４９〜１４７２画素へ重畳される。そして、部分画ＰＩＭ１０をＦＨＤ信号の左右中央部に配置し、また４Ｋ２Ｋ信号の下辺ＥＢをＦＨＤ信号の下辺に合わせる。
【００３８】
次に、部分画ナンバー＜１１＞である下部３番目部分画像ＰＩＭ１１のＦＨＤ信号への張り付けについては、４Ｋ２Ｋ信号の１０８１ライン１６０１画素目を基準として、そこから１０８０×１９２０画素領域をＦＨＤ信号の有効画素領域とする。
これにより、４Ｋ２Ｋ信号上の部分画ＰＩＭ１１、垂直領域１４４１〜２１６０ラインがＦＨＤ信号有効画素領域の３６１〜１０８０ラインへ重畳される。また、４Ｋ２Ｋ信号上の部分画ＰＩＭ１１、水平領域２０４９〜３０７２画素がＦＨＤ信号有効画素領域の４４９〜１４７２画素へ重畳される。そして、部分画ＰＩＭ１１をＦＨＤ信号の左右中央部に配置し、また４Ｋ２Ｋ信号の下辺ＥＢをＦＨＤ信号の下辺に合わせる。
【００３９】
次に、部分画ナンバー＜１２＞である下部右部分画像ＰＩＭ１２のＦＨＤ信号への張り付けについては、４Ｋ２Ｋ信号の１０８１ライン２１７７画素目を基準として、そこから１０８０×１９２０画素領域をＦＨＤ信号の有効画素領域とする。
これにより、４Ｋ２Ｋ信号上の部分画ＰＩＭ１２、垂直領域１４４１〜２１６０ラインがＦＨＤ信号有効画素領域の３６１〜１０８０ラインへ重畳される。また、４Ｋ２Ｋ信号上の部分画ＰＩＭ１２、水平領域３０７３〜４０９６画素がＦＨＤ信号有効画素領域の８９７〜１９２０画素へ重畳され、４Ｋ２Ｋ信号の右下画素をＦＨＤ信号の右下画素に合わせる。
ここで、図３の説明は終了する。
【００４０】
［ＦＨＤ信号伝送］
画像送信装置である４Ｋ２Ｋ信号記録・再生装置２０において、以上の方法で作成したＦＨＤ信号の部分画をＮ×Ｍ枚分、ＦＨＤ信号伝送路４０を介して４Ｋ２Ｋ信号再生装置３０側へ順次送出する。
このとき、部分画ＰＩＭの送出に合わせて対応する部分画ナンバー情報を同時に送出する。
【００４１】
図４（Ａ）および（Ｂ）は、部分画ナンバー情報の伝送方法例を説明するための図である。
【００４２】
図４（Ａ）は，ＦＨＤ信号伝送路４０とは別の専用制御信号線５０によって部分画ナンバー情報を伝送する方法を示している。
図４（Ｂ）は、部分画ＰＩＭを重畳したＦＨＤ信号のブランキング期間（有効領域外）へ部分画ナンバー情報ＰＮＩを重畳してＦＨＤ信号伝送路４０で伝送する方法を示している。
【００４３】
４Ｋ２Ｋ信号再生装置３０においては、伝送されてきたＦＨＤ信号部分画と対応する部分画ナンバー情報より、ナンバー情報に従ってＦＨＤ部分画内の４Ｋ２Ｋ分割画像領域の画像のみを装置内の４Ｋ２Ｋフレームメモリ３０１へ記録する。
４Ｋ２Ｋ信号再生装置３０においては、Ｎ×Ｍ枚分の部分画を４Ｋ２Ｋフレームメモリ３０１へ記録完了した後、４Ｋ２Ｋフレームメモリ３０１より４Ｋ２Ｋ信号を読み出し、所望の４Ｋ２Ｋ画像を図示しない表示デバイスで表示する。
【００４４】
＜２．４Ｋ２Ｋ静止画像伝送システムの具体的な第１の構成例＞
図５は、本実施形態に係る４Ｋ２Ｋ静止画像伝送システムの具体的な第１の構成例を示す図である。
図５は、図４（Ｂ）で示したＦＨＤ信号のブランキング期間（有効領域外）に部分画ナンバー情報が重畳さている伝送方式に対応した装置構成を示している。
【００４５】
図５の４Ｋ２Ｋ静止画像伝送システム１０Ａにおいて、画像送信装置である４Ｋ２Ｋ信号記録・再生装置２０Ａは、ＣＰＵ（制御部）２０１、記憶装置２０２、バッファメモリ２０３、同期信号発生回路２０４、および同期信号重畳部２０５を含んで構成されている。
【００４６】
ＣＰＵ２０１は、記憶装置２０２に記憶された４Ｋ２Ｋ静止画像信号をあらかじめ定められた領域マップに従って複数の部分画ＰＩＭに分割する分割部としての機能を有する。
ＣＰＵ２０１、バッファメモリ２０３、同期信号発生回路２０４、および同期信号重畳部２０５は、分割された領域の部分画ＰＩＭを順次読み出しＦＨＤ信号の決められた場所に部分画ＰＩＭを重畳し出力する送出部として機能する。
また、ＣＰＵ２０１、バッファメモリ２０３、同期信号発生回路２０４、および同期信号重畳部２０５は、部分画ＰＩＭに対応した部分画ナンバー情報ＰＮＩを部分画と同期してＦＨＤ信号に重畳する重畳部として機能する。
【００４７】
図５の４Ｋ２Ｋ信号再生装置３０Ａは、フレームメモリ３０１に加えて、同期分離処理部３０２、読み取りタイミング生成部（読み取りＴＧ）３０３、およびナンバー情報読み取り処理部３０４を有する。
４Ｋ２Ｋ信号再生装置３０Ａは、書き込みアドレス生成部３０５、書き込みタイミング生成部（書き込みＴＧ）３０６、書き込み完了判定部３０７、書き込み制御部３０８、および読み出し制御部２０９を有する。
４Ｋ２Ｋ信号再生装置３０Ａにおいて、伝送路４０との接続領域に受信部３２０が形成される。
【００４８】
同期分離処理部３０２、読み取りＴＧ３０３、およびナンバー情報読み取り処理部３０４は、ＦＨＤ信号に重畳された部分画ナンバー情報を読み取る読み取り部として機能する。
書き込みアドレス生成部３０５は、読み出した部分画ナンバー情報に従ってＦＨＤ信号に重畳された４Ｋ２Ｋ信号部分画を元の４Ｋ２Ｋ信号領域へ書き込むためのアドレスを生成する。
書き込みＴＧ３０６、書き込み完了判定部３０７、書き込み制御部３０８は、生成されたアドレスに従ってＦＨＤ信号に重畳された部分画をフレームメモリ３０１に書き込む書き込み部として機能する。
書き込み完了判定部３０７は、順次入力されるＦＨＤ信号に重畳された複数の部分画から元の４Ｋ２Ｋ信号すべてが書き込まれたかを判定する。
読み出し制御部３０９は、すべて書き込まれたと判定された後、書き込まれた４Ｋ２Ｋ静止画信号を再生する再生部として機能する。
【００４９】
［図５の４Ｋ２Ｋ静止画像伝送システムの動作説明］
次に、図５の４Ｋ２Ｋ静止画像伝送システムの動作を説明する。
画像送信装置としての４Ｋ２Ｋ信号記録・再生装置２０Ａでは、ＣＰＵ２０１が所望する４Ｋ２Ｋ静止画像データを記憶装置２０２より読み出し、図３に示したＦＨＤ信号重畳領域に従って必要な部分画領域をバッファメモリ２０３へ書き出す。
さらに対応する部分画ナンバー情報もバッファメモリ２０３へ書き込まれる。書き込みが完了した時点で、同期信号発生回路２０４が出力する同期信号ＶＰ，ＨＰに従いバッファメモリ２０３より４Ｋ２Ｋ部分画信号が読み出される。
同期信号重畳部２０５において、読み出された４Ｋ２Ｋ部分画信号に同期信号を重畳し、ＦＨＤ部分画信号として４Ｋ２Ｋ信号記録・再生装置２０Ａより出力される。
以上の処理を設定した部分画枚数分繰り返して、４Ｋ２Ｋ静止画像を伝送する。
【００５０】
４Ｋ２Ｋ信号再生装置３０Ａにおいては、入力された４Ｋ２Ｋ信号から同期分離処理部３０２により垂直水平同期信号ＶＰ，ＨＰを生成する。
生成したＶＰ，ＨＰより部分画ナンバー情報が挿入されている位置情報を読み取りＴＧ３０３で生成し、ナンバー読み取り処理部３０４で受信したＦＨＤ信号より部分画ナンバー情報ＰＮＩを読み取る。
得られた部分画ナンバー情報ＰＮＩより、書き込みアドレス生成部３０５において、部分画ナンバーに対応するフレームメモリ３０１への書き込みアドレスを生成する。
また、部分画ナンバー情報ＰＮＩは書き込みＴＧ３０６に入力され、フレーム期間単位で部分画ナンバーの変化点を検出し、変化点から一定フレーム期間後に部分画を書き込むための書き込みタイミング信号を生成する。
書き込み制御部３０８が、生成された書き込みアドレスと書き込みタイミング信号に従ってＦＨＤ信号に重畳されている４Ｋ２Ｋ信号の部分画をフレームメモリ３０１へ書き込む。以上のフレームメモリ３０１への４Ｋ２Ｋ信号部分画のかき込みを順次行う。
ナンバー読み取り処理部３０４で読み取られ生成された部分画ナンバー情報は、書き込み完了判定部３０７へ入力され、所定枚数および位置の部分画のフレームメモリ３０１への書き込み完了を判定する。
書き込み完了判定結果に従い、書き込みが完了した場合は書き込み制御の動作を停止し、代わって読み出し制御部３０９によりフレームメモリ３０１からの４Ｋ２Ｋ信号の読み出し動作を開始し、読み出した４Ｋ２Ｋ静止画像を４Ｋ２Ｋ表示デバイスへ送出する。
【００５１】
［ＦＨＤ信号伝送シーケンス］
次に、４Ｋ２Ｋ信号記録・再生装置から４Ｋ２Ｋ信号再生装置へのＦＨＤ信号伝送シーケンスについて説明する。
図６は、４Ｋ２Ｋ信号記録・再生装置から４Ｋ２Ｋ表示装置へのＦＨＤ信号伝送シーケンスの一例を示す図である。
図６は、図２で示した垂直方向の分割数Ｎを３、水平方向の分割数Ｍを４としたときの部分画の伝送シーケンス例を示している。
【００５２】
４Ｋ２Ｋ静止画像表示動作開始と同時に、４Ｋ２Ｋ信号記録・再生装置２０Ａより４Ｋ２Ｋ部分画ＰＩＭを重畳したＦＨＤ信号ＳＦＤＨを送出する。４Ｋ２Ｋ部分画に対応する部分画ナンバー情報もＰＮＩ同時に送出される。
部分画ナンバーの変化点より一定フレーム期間の後にフレームメモリ３０１への書き込みタイミング信号が立ち上がり、４Ｋ２Ｋ部分画をフレームメモリ３０１へ書き込む。
以上のシーケンスを部分画の枚数分繰り返す。
１２枚の部分画の伝送、書き込みが完了した時点で書き込み完了判定結果が書き込み完了状態となり、書き込み動作から読み出し動作へ替わる。
読み出し動作開始と同時にフレームメモリ読み出し信号が出力され、再合成された４Ｋ２Ｋ静止画像がフレームメモリ３０１より読み出される。
図６において、最下段に毎フレーム期間を表す同期信号ＶＰを示す。
【００５３】
［４Ｋ２Ｋ静止画像から部分画を生成する他の分割方法］
次に、４Ｋ２Ｋ静止画像から部分画を生成する他の分割方法について説明する。
図１の４Ｋ２Ｋ静止画像伝送システム１０において、ＦＨＤ信号を出力可能な４Ｋ２Ｋ信号記録・再生装置２０では、４Ｋ２Ｋ静止画像の部分画をＦＨＤ信号へ重畳する際に、ＦＨＤ信号の有効領域よりも狭い領域に重畳するように構成することも可能である。
たとえば、４Ｋ２Ｋ信号記録・再生装置２０において、ＦＨＤ信号の有効領域１０８０x１９２０よりも狭い１０８０x１５３６画素の領域に４Ｋ２Ｋ静止画像の部分画を重畳する。
そして、残りの１０８０x３８４画素のサブデータ領域ＳＤＡに４Ｋ２Ｋ部分画ナンバー情報や、４Ｋ２Ｋ部分画像の信号特性情報やマーカー信号などのサブデータＳＤＴを重畳して送出する。
受信側の４Ｋ２Ｋ信号再生装置３０では、ＦＨＤ信号ＳＦＨＤに重畳されている４Ｋ２Ｋ信号の部分画特性情報や、マーカー信号の計測値を使用して、ＦＨＤ信号に重畳されている４Ｋ２Ｋ部分画像を、送出時の４Ｋ２Ｋ部分画像と同じ特性値になるように修正する。
これにより、４Ｋ２Ｋ信号記録・再生装置２０と４Ｋ２Ｋ信号再生装置３０の間に挿入された映像信号処理による部分画像毎の映像特性のバラツキを直して、奇麗な４Ｋ２Ｋ静止画像を再生・表示することができる。
【００５４】
４Ｋ２Ｋ静止画像から部分画を生成する他の分割方法についてさらに説明する。
４Ｋ２Ｋ静止画像の分割は、たとえば垂直方向の分割数Ｎは、Ｎ´＞２１６０÷１０８０となる整数、水平方向の分割数Ｍは、Ｍ´＞４０９６÷１５３６となる整数、を選択し水平垂直とも略均等に分割を行う。
各部分画の分割位置は固定値とし部分画ナンバー毎に位置を確定させる。部分画の総画像枚数はＮ´×Ｍ´枚、となる。
【００５５】
［部分画とサブデータを重畳する場合のＦＨＤ信号内領域の構成例］
図７は、ＦＨＤ信号に４Ｋ２Ｋ静止画像の部分画とサブデータを重畳する場合のＦＨＤ信号内領域の構成例を示す図である。
【００５６】
図７に示すように、この例では、ＦＨＤ信号の有効画素領域ＡＣＡ内のうち垂直１〜１０８０ライン、水平１〜１５３６画素の１０８０×１５３６画素領域を４Ｋ２Ｋ画像の部分画領域ＰＭＡとする。そして、残りの水平１５３７〜１９２０画素の１０８０×３８４画素領域をサブデータ重畳領域ＳＤＡとする。
サブデータ領域ＳＤＡへは、部分画ナンバー情報や、部分画領域画像の信号特性情報、マーカー信号などが重畳される。
【００５７】
次に、図７の構成を有するＦＨＤ信号への部分画の重畳方法について説明する。
サブデータ領域ＳＤＡを持つＦＨＤ信号へ重畳する４Ｋ２Ｋ信号の画像領域である部分画領域ＰＭＡは１０８０x１５３６画素の領域となる。
分割され生成された４Ｋ２Ｋ信号部分画ＰＩＭを、ＦＨＤ信号部分画領域ＰＭＡへ重畳する際は、前述した方法と同様に、４Ｋ２Ｋ信号の上下左右辺を含む４Ｋ２Ｋ信号部分画はＦＨＤ信号部分画領域の対応する上下左右辺に合わせる。
四辺以外の４Ｋ２Ｋ部分画ＰＩＭは、ＦＨＤ画像部分画領域ＰＭＡの中心へ４Ｋ２Ｋ信号部分画が配置されるようにＦＨＤ信号へ重畳する。
【００５８】
図８は、図７の構成を有するＦＨＤ信号への部分画の重畳方法について説明するための図であって、垂直方向の分割数Ｎ´を３、水平方向の分割数Ｍ´を４としたときのＦＨＤ信号へ重畳する４Ｋ２Ｋ信号領域の一例を示す図である。
【００５９】
この場合、画像送信装置としての４Ｋ２Ｋ信号記録・再生装置２０においてＦＨＤ信号への部分画の重畳は次のように行われる。
図２に示す４Ｋ２Ｋ信号の１２面分割画像に対して、まず部分画ナンバー＜１＞である上部左部分画像ＰＩＭ１のＦＨＤ信号への張り付けについては、４Ｋ２Ｋ信号の左上画素となる１ライン１画素目を基準とする。この基準から１０８０×１５３６画素領域をＦＨＤ信号部分画領域とすることにより、４Ｋ２Ｋ信号の左上画素をＦＨＤ信号部分画領域の左上画素に合わせる。
【００６０】
次に、部分画ナンバー＜２＞である上部２番目部分画像ＰＩＭ２のＦＨＤ信号への張り付けについては、４Ｋ２Ｋ信号の１ライン７６９画素目を基準として、そこから１０８０×１５３６画素領域をＦＨＤ信号部分画領域とする。
これにより，４Ｋ２Ｋ信号上の部分画ＰＩＭ２、水平領域１０２５〜２０４８画素が、ＦＨＤ信号部分画領域上の２５７〜１２８０画素領域へ重畳されＦＨＤ信号部分画領域の水平中央部に配置される。
【００６１】
同じく、部分画ナンバー＜３＞である上部３番目部分画像ＰＩＭ３については、４Ｋ２Ｋ信号の１ライン１７９３画素目を基準として、１０８０×１５３６画素領域をＦＨＤ信号部分画領域とする。
これにより、４Ｋ２Ｋ信号上の部分画ＰＩＭ３、水平領域２０４９〜３０７２画素が、ＦＨＤ信号有効画素領域上の２５７〜１２８０画素領域へ重畳されＦＨＤ部分画領域の水平中央部に配置される。
【００６２】
次に、部分画ナンバー＜４＞である上部右部分画像ＰＩＭ４については、４Ｋ２Ｋ信号の１ライン２５６１画素目を基準として、１０８０×１５３６画素領域をＦＨＤ信号部分画領域とする。
これにより、４Ｋ２Ｋ信号上の部分画ＰＩＭ４、水平領域３０７３〜４０９６画素が、ＦＨＤ信号有効画素領域上の５１３〜１５３６画素領域へ重畳され、４Ｋ２Ｋ信号の右上画素をＦＨＤ信号部分画領域の右上画素の位置に合わせる。
【００６３】
次に、部分画ナンバー＜５＞である中央左部分画像ＰＩＭ５のＦＨＤ信号への張り付けについては、４Ｋ２Ｋ信号の５４１ライン１画素目を基準として、そこから１０８０×１５３６画素領域をＦＨＤ信号部分画領域とする。
これにより、４Ｋ２Ｋ信号上の部分画ＰＩＭ５、垂直領域７２１〜１４４０ラインがＦＨＤ信号部分画領域の１８１〜９００ラインへ重畳される。また、４Ｋ２Ｋ信号上の部分画ＰＩＭ５、水平領域１〜１０２４画素がＦＨＤ信号部分画領域の１〜１０２４画素へ重畳される。そして、部分画ＰＩＭ５をＦＨＤ信号部分画領域の上下中央部に配置し、また４Ｋ２Ｋ信号の左辺をＦＨＤ信号部分画領域の左辺に合わせる。
【００６４】
次に、部分画ナンバー＜６＞である中央２番目部分画像ＰＩＭ６のＦＨＤ信号への張り付けについては、４Ｋ２Ｋ信号の５４１ライン７６９画素目を基準として、そこから１０８０×１５３６画素領域をＦＨＤ信号部分画領域とする。
これにより、４Ｋ２Ｋ信号上の部分画ＰＩＭ６、垂直領域７２１〜１４４０ラインがＦＨＤ信号部分画領域の１８１〜９００ラインへ重畳される。また、４Ｋ２Ｋ信号上の部分画ＰＩＭ６、水平領域１０２５〜２０４８画素がＦＨＤ信号部分画領域の２５７〜１２８０画素へ重畳され、部分画ＰＩＭ６をＦＨＤ信号部分画領域の上下左右中央部に配置する。
【００６５】
次に、部分画ナンバー＜７＞である中央３番目部分画像ＰＩＭ７のＦＨＤ信号への張り付けについては、４Ｋ２Ｋ信号の５４１ライン１７９３画素目を基準として、そこから１０８０×１５３６画素領域をＦＨＤ信号部分画領域とする。
これにより、４Ｋ２Ｋ信号上の部分画ＰＩＭ７、垂直領域７２１〜１４４０ラインがＦＨＤ信号部分画領域の１８１〜９００ラインへ重畳される。また、４Ｋ２Ｋ信号上の部分画ＰＩＭ７、水平領域２０４９〜３０７２画素がＦＨＤ信号部分画領域の２５７〜１２８０画素へ重畳され、部分画ＰＩＭ７をＦＨＤ信号部分画領域の上下左右中央部に配置する。
【００６６】
次に、部分画ナンバー＜８＞である中央右部分画像ＰＩＭ８のＦＨＤ信号への張り付けについては、４Ｋ２Ｋ信号の５４１ライン２５６１画素目を基準として、そこから１０８０×１５３６画素領域をＦＨＤ信号部分画領域とする。
これにより、４Ｋ２Ｋ信号上の部分画ＰＩＭ８、垂直領域７２１〜１４４０ラインがＦＨＤ信号部分画領域の１８１〜９００ラインへ重畳される。また、４Ｋ２Ｋ信号上の部分画ＰＩＭ８、水平領域３０７３〜４０９６画素がＦＨＤ信号部分画領域の５１３〜１５３６画素へ重畳される。そして、部分画ＰＩＭ８をＦＨＤ信号部分画領域の上下中央部に配置し、また４Ｋ２Ｋ信号の右辺をＦＨＤ信号部分画領域の右辺に合わせる。
【００６７】
次に、部分画ナンバー＜９＞である下部左部分画像ＰＩＭ９のＦＨＤ信号への張り付けについては、４Ｋ２Ｋ信号の１０８１ライン１画素目を基準として、そこから１０８０×１５３６画素領域をＦＨＤ信号部分画領域とする。
これにより、４Ｋ２Ｋ信号上の部分画ＰＩＭ９、垂直領域１４４１〜２１６０ラインがＦＨＤ信号部分画領域の３６１〜１０８０ラインへ重畳される。また、４Ｋ２Ｋ信号上の部分画ＰＩＭ９、水平領域１〜１０２４画素がＦＨＤ信号部分画領域の１〜１０２４画素へ重畳され、４Ｋ２Ｋ信号の左下画素をＦＨＤ信号部分画領域の左下画素に合わせる。
【００６８】
次に、部分画ナンバー＜１０＞である下部２番目部分画像ＰＩＭ１０のＦＨＤ信号への張り付けについては、４Ｋ２Ｋ信号の１０８１ライン７６９画素目を基準として、そこから１０８０×１５３６画素領域をＦＨＤ信号部分画領域とする。
これにより、４Ｋ２Ｋ信号上の部分画ＰＩＭ１０、垂直領域１４４１〜２１６０ラインがＦＨＤ信号部分画領域の３６１〜１０８０ラインへ重畳される。また、４Ｋ２Ｋ信号上の部分画ＰＩＭ１０、水平領域１０２５〜２０４８画素がＦＨＤ信号部分画領域の２５７〜１２８０画素へ重畳される。そして、部分画ＰＩＭ１０をＦＨＤ信号部分画領域の左右中央部に配置し、また４Ｋ２Ｋ信号の下辺をＦＨＤ信号部分画領域の下辺に合わせる。
【００６９】
次に、部分画ナンバー＜１１＞である下部３番目部分画像＜１１＞のＦＨＤ信号への張り付けについては、４Ｋ２Ｋ信号の１０８１ライン１７９３画素目を基準として、そこから１０８０×１５３６画素領域をＦＨＤ信号部分画領域とする。
これにより、４Ｋ２Ｋ信号上の部分画ＰＩＭ１１、垂直領域１４４１〜２１６０ラインがＦＨＤ信号部分画領域の３６１〜１０８０ラインへ重畳される。また、４Ｋ２Ｋ信号上の部分画ＰＩＭ１１、水平領域２０４９〜３０７２画素がＦＨＤ信号部分画領域の２５７〜１２８０画素へ重畳される。そして、部分画ＰＩＭ１１をＦＨＤ信号部分画領域の左右中央部に配置し、また４Ｋ２Ｋ信号の下辺をＦＨＤ信号部分画領域の下辺に合わせる。
【００７０】
次に、部分画ナンバー＜１２＞である下部右部分画像＜１２＞のＦＨＤ信号への張り付けについては、４Ｋ２Ｋ信号の１０８１ライン２５６１画素目を基準として、そこから１０８０×１５３６画素領域をＦＨＤ信号部分画領域とする。
これにより、４Ｋ２Ｋ信号上の部分画ＰＩＭ１２、垂直領域１４４１〜２１６０ラインがＦＨＤ信号部分画領域の３６１〜１０８０ラインへ重畳される。また、４Ｋ２Ｋ信号上の部分画ＰＩＭ１２、水平領域３０７３〜４０９６画素がＦＨＤ信号部分画領域の５１３〜１５３６画素へ重畳され、４Ｋ２Ｋ信号の右下画素をＦＨＤ信号部分画領域の右下画素に合わせる。
ここで、図８の説明は終了する。
【００７１】
４Ｋ２Ｋ信号記録・再生装置２０において、ＦＨＤ信号のサブデータ領域に部分画ナンバー情報を重畳してＦＨＤ信号を伝送した場合、４Ｋ２Ｋ信号再生装置３０での動作は次のようになる。
たとえば、図５に示す４Ｋ２Ｋ信号再生装置３０Ａの構成において、同期分離処理部３０２で生成された同期信号ＶＰ，ＨＰに基づき、読み取りＴＧ３０３で部分画ナンバー情報が挿入されているサブデータ領域ＳＤＡ内の位置情報を生成する。
そして、ナンバー読み取り処理部３０４でＦＨＤ信号のサブデータ領域ＳＤＡ内から部分画ナンバー情報ＰＮＩを読み取ることにより、４Ｋ２Ｋ静止画の再生処理（表示処理）行うことができる。
【００７２】
＜３．４Ｋ２Ｋ静止画像伝送システムの具体的な第２の構成例＞
次に、本実施形態に係る４Ｋ２Ｋ静止画像伝送システムの具体的な第２の構成例について説明する。
図９は、本実施形態に係る４Ｋ２Ｋ静止画像伝送システムの具体的な第２の構成例を示す図である。
図９の４Ｋ２Ｋ静止画像伝送システム１０Ｂにおいては、画像送信装置である４Ｋ２Ｋ信号記録・再生装置２０Ｂでサブデータ領域に、４Ｋ２Ｋ静止画部分画像の特性情報として平均値を重畳する。
そして、画像受信装置としての４Ｋ２Ｋ信号再生装置３０Ｂで重畳された平均値を使用して部分画毎のバラツキを補正して４Ｋ２Ｋ静止画を再生する。
【００７３】
図９の４Ｋ２Ｋ静止画像伝送システム１０Ｂにおいて、４Ｋ２Ｋ信号再生装置３０Ｂは、図５の構成に加えて、サブデータ読み取り処理部３１０、平均値計測部３１１、差分算出部３１２、レベル補正部３１３、および境界処理部３１４を有する。
【００７４】
図９の４Ｋ２Ｋ静止画像伝送システム１０Ｂにおいて、４Ｋ２Ｋ信号記録・再生装置２０Ｂでは、所望する４Ｋ２Ｋ静止画データを記憶装置より読み出し、図８に示したＦＨＤ信号重畳領域に従って必要な部分画領域をバッファメモリ２０３へ書き出す。
さらに読み出したＦＨＤ信号重畳領域に含まれる画素値の平均値を送信側計測部として機能するＣＰＵ２０１により算出し、算出した平均値を図７に示したサブデータ重畳領域ＳＤＡの設定された位置へ書き込む。合わせて読み出した部分画ＰＩＭに対応する部分画ナンバー情報ＰＮＩをサブデータ重畳領域ＳＤＡの設定された位置へ書き込む。
書き込みが完了した時点で、同期信号発生回路２０４が生成する同期信号ＶＰ，ＨＰに従い、ＦＨＤ部分画信号として４Ｋ２Ｋ信号記録・再生装置２０ＢよりＦＨＤ信号伝送路４０へ出力される。
以上の処理を設定した部分画枚数分繰り返して、４Ｋ２Ｋ静止画像を伝送する。
【００７５】
４Ｋ２Ｋ信号再生装置３０Ｂにおいては、入力された４Ｋ２Ｋ信号から同期分離処理部３０２により垂直水平同期信号ＶＰ，ＨＰを生成する。生成した同期信号ＶＰ，ＨＰよりＦＨＤ部分画信号のサブデータ領域ＳＤＡに重畳された平均値が重畳されている位置情報を読み取りＴＧ３０３で生成し、サブデータ読み取り処理部３１０で平均値を読み取る。
また、平均値計測部３１１において入力された部分画像領域の画素値の平均値を計測する。
平均値読み取り処理で得られた４Ｋ２Ｋ信号記録・再生装置２０Ｂで計測した元の平均値と、実際に４Ｋ２Ｋ信号再生装置３０Ｂに入力されたＦＨＤ部分画信号の平均値の差分を差分算出部３１２で求める。
求めた差分値に従って、レベル補正部３１３において入力された部分画のレベルを４Ｋ２Ｋ信号記録・再生装置２０Ｂで送出した元の平均値となるように補正する。さらに補正された部分画像に対して、境界処理部３１４で境界処理を行う。
また、先の読み取りＴＧ３０３において同期信号ＶＰ，ＨＰより部分画ナンバー情報が挿入されている位置情報を生成し、ナンバー読み取り処理部３０４においてＦＨＤ信号より部分画ナンバー情報を読み取る。そして、得られた部分画ナンバー情報より、書き込みアドレス生成部３０５で部分画ナンバーに対応するフレームメモリ３０１への書き込みアドレスを生成する。
【００７６】
また、書き込みＴＧ３０６おいてフレーム期間単位で部分画ナンバーの変化点を検出し部分画を書き込む為の書き込みタイミング信号を生成する。
部分画を書き込込むフレームメモリ３０１は、すべての４Ｋ２Ｋ部分画転送シーケンスの前に初期化され０データが記録されている。
上述の手順で得られた書き込みアドレス情報および書き込みタイミング信号に従い、先の境界処理が行われた部分画をフレームメモリ３０１の対応するアドレスに記録されている画素値へ加算し、新たな画素データとして記録する。
以上の４Ｋ２Ｋ信号部分画像のフレームメモリ３０１への記録処理を順次行う。
ナンバー読み取り処理部３０４で得られた部分画ナンバーは、書き込み完了判定部３０７へ入力され、所定枚数の書き込み完了を判定する。
書き込み完了判定結果に従い、書き込みが完了した後、書き込み制御の動作を停止し、代わって読み出し制御部３０９によりフレームメモリ３０１から４Ｋ２Ｋ信号の読み出し動作を開始し、４Ｋ２Ｋ静止画像を４Ｋ２Ｋ表示デバイスへ送出する。
【００７７】
［境界処理の例］
次に、図９の４Ｋ２Ｋ信号再生装置における境界処理の一例について説明する。
図１０（Ａ）〜（Ｄ）は、本実施形態に係る４Ｋ２Ｋ信号再生装置における境界処理の一例について説明するための図である。
【００７８】
平均値によるレベル補正処理は、部分画毎に行われるため、部分画によって正しく補正しきれない場合は部分画の境界で不連続となって境界が目立つ場合が有る。
そのため、境界で不連続な変化が起こらないような境界処理を行う。
ここでは、部分画ＰＩＭ２と部分画ＰＩＭ３の境界を例に説明する。
【００７９】
本実施形態で、４Ｋ２Ｋ静止画像を部分画に分けてＦＨＤ信号へ重畳する際は、以下のような処理を行う。
すなわち、４Ｋ２Ｋ信号の上下左右辺を含む４Ｋ２Ｋ信号部分画はＦＨＤ信号部分画領域の対応する上下左右辺に合わせ、四辺以外の４Ｋ２Ｋ部分画はＦＨＤ画像部分画領域の中心へ４Ｋ２Ｋ信号部分画が配置されるようにＦＨＤ信号へ重畳する。
図８で示した通り、ＦＨＤ信号へ部分画ＰＩＭ２を重畳する際は左右に２５６画素の余剰領域を付けて重畳される。
同じく部分画ＰＩＭ３についても左右に２５６画素の余剰領域を付けて重畳される。
【００８０】
図１０（Ａ）に示すように、部分画ＰＩＭ２と部分画ＰＩＭ３の境界ＢＤＲより左右均等距離ののりしろ領域ＯＶＬを設定する。
のりしろ領域ＯＶＬは、先の余剰領域画素数以下の範囲とする。
レベル補正を行った部分画ＰＩＭ２に対して、図１０（Ｂ）に示すように、境界ＢＤＲで０．５となるように重み付けをしたゲインを掛け合わせることにより、部分画ＰＩＭ２の信号レベルを緩やかに変化させる。
同じくレベル補正を行った部分画ＰＩＭ３に対して、図１０（Ｃ）に示すように、境界ＢＤＲで０．５となる上に重み付けを行ったゲインを掛け合わせることにより、部分画ＰＩＭ３の信号レベルを緩やかにさせる。
図１０の（Ｂ）と（Ｃ）を合わせた合成ゲインは図１０（Ｄ）に示す通り１となり、部分画信号は入力の信号レベルを維持したまま、レベル補正を行った部分画ＰＩＭ２から部分画ＰＩＭ３へなめらかに変化する。
以上の境界処理を各部分画間で行うことにより、部分画毎のレベル補正処理をなめらかに変化させ、部分画境界での不連続を無くすことができる。
【００８１】
サブデータ領域に、４Ｋ２Ｋ静止画部分画像の特性情報として中央値を重畳し、４Ｋ２Ｋ信号再生装置で、重畳された中央値を使用して部分画毎のバラツキを補正して４Ｋ２Ｋ静止画を再生する４Ｋ２Ｋ静止画像伝送システムの場合は次のように処理が行われる。
図９に示した４Ｋ２Ｋ静止画像伝送システム１０Ｂの構成において、４Ｋ２Ｋ信号記録・再生装置２０ＢではＦＨＤ信号重畳領域に含まれる画素値の中央値をＣＰＵ２０１により算出し、算出した中央値をサブデータ重畳領域の指定された位置へ書き込む。
【００８２】
４Ｋ２Ｋ信号再生装置３０Ｂにおいては、同期信号ＶＰ，ＨＰよりＦＨＤ部分画信号のサブデータ領域ＳＤＡに重畳された中央値が重畳されている位置情報を読み取りＴＧ３０３で生成し、サブデータ読み取り処理部３１０により中央値を読み取る。
また、図９の平均値計測部の代わりに入力された部分画像領域の画素値の中央値を計測する。サブデータ読み取り処理部３１０で得られた４Ｋ２Ｋ信号記録・再生装置２０Ｂで計測した元の中央値と、実際に４Ｋ２Ｋ信号再生装置３０Ｂに入力されたＦＨＤ部分画信号の中央値の差分を差分算出部３１２で求める。
求めた差分値に従って、レベル補正部３１３において入力された部分画のレベルを４Ｋ２Ｋ信号記録・再生装置２０Ｂで送出した元の中央値となるように補正する。
さらに補正された部分画像に対して、境界処理を行う。
【００８３】
上記処理により、サブデータ領域に中央値を重畳して部分画毎のバラツキを補正することができる。
【００８４】
＜４．４Ｋ２Ｋ静止画像伝送システムの具体的な第３の構成例＞
次に、本実施形態に係る４Ｋ２Ｋ静止画像伝送システムの具体的な第３の構成例について説明する。
図１１は、本実施形態に係る４Ｋ２Ｋ静止画像伝送システムの具体的な第３の構成例を示す図である。
図１１の４Ｋ２Ｋ静止画像伝送システム１０Ｃにおいては、画像送信装置である４Ｋ２Ｋ信号記録・再生装置２０Ｃでは、４Ｋ２Ｋ静止画部分画像の特性情報としてサブデータ領域ＳＤＡに平均値と分散値または中央値と分散値を重畳する。
４Ｋ２Ｋ信号再生装置３０Ｃで重畳された平均値と分散値または中央値と分散値を使用して部分画毎のバラツキを補正して４Ｋ２Ｋ静止画像を再生する。
【００８５】
図１１に示した４Ｋ２Ｋ静止画像伝送システム１０Ｃの構成において、４Ｋ２Ｋ信号記録・再生装置２０Ｃでは、ＦＨＤ信号重畳領域に含まれる画素値の平均値／中央値、と分散値をＣＰＵ２０１により算出する。４Ｋ２Ｋ信号記録・再生装置２０Ｃでは、算出した平均値／中央値と分散値をサブデータ重畳領域ＳＤＡの指定された位置へ書き込む。
【００８６】
４Ｋ２Ｋ信号再生装置３０Ｃでは、同期信号ＶＰ，ＨＰよりＦＨＤ部分画信号のサブデータ領域に重畳された平均値／中央値と分散値が重畳されている位置情報を読み取りＴＧ３０３で生成する。そして、４Ｋ２Ｋ信号再生装置３０Ｃでは、サブデータ読み取り処理部３１０Ｃにより平均値／中央値と分散値を読み取る。
次に、平均値／中央値計測部３１１Ｃにおいて入力された部分画像領域の画素値の平均値／中央値を計測する。
サブデータ読み取り処理部３１０Ｃで得られた４Ｋ２Ｋ信号記録・再生装置２０Ｃで計測した元の平均値または中央値と、実際に４Ｋ２Ｋ信号再生装置３０Ｃに入力されたＦＨＤ部分画信号の平均値／中央値の差分を差分算出部３１２Ｃで求める。
次に、求めた差分に従って、レベル補正部３１３Ｃにおいて入力された部分画のレベルを４Ｋ２Ｋ信号記録・再生装置２０Ｃで送出した元の平均値／中央値となるように補正する。
次に、分散値計測部３１５において入力された部分画像領域の画素値の分散値を計測する。
サブデータ読み取り処理で得られた４Ｋ２Ｋ信号記録・再生装置２０Ｃで計測した元の分散値と、実際に４Ｋ２Ｋ信号再生装置３０Ｃに入力されたＦＨＤ部分画信号の分散値が一致するようにゲイン補正部３１６でレベル補正された部分画像のゲイン調整を行う。
ゲイン調整はレベル補正した平均値／中央値を中心に行う。さらに補正された部分画像に対して、境界処理を行う。
【００８７】
上記処理により、サブデータ領域に平均値／中央値と分散値を重畳して部分画毎のバラツキを補正することができる。
【００８８】
＜５．４Ｋ２Ｋ静止画像伝送システムの具体的な第４の構成例＞
次に、本実施形態に係る４Ｋ２Ｋ静止画像伝送システムの具体的な第４の構成例について説明する。
図１２は、本実施形態に係る４Ｋ２Ｋ静止画像伝送システムの具体的な第４の構成例を示す図である。
図１２の４Ｋ２Ｋ静止画像伝送システム１０Ｄにおいては、画像送信装置である４Ｋ２Ｋ信号記録・再生装置２０Ｄでサブデータ領域に、マーカー信号として画素データの最小値から最大値までリニアに変化するレベル信号を重畳する。
そして、画像受信装置としての４Ｋ２Ｋ信号再生装置３０Ｄで重畳されたマーカー信号を読み込む。
４Ｋ２Ｋ信号再生装置３０Ｄでは、読み込んだマーカー信号の画素値が４Ｋ２Ｋ信号記録・再生装置で重畳したマーカー信号と同じレベルになるように入力部分画像のばらつきを補正して４Ｋ２Ｋ静止画像を再生する。
【００８９】
図１２の４Ｋ２Ｋ静止画像伝送システム１０Ｄにおいて、４Ｋ２Ｋ信号再生装置３０Ｄは、図５の構成に加えて、マーカー読み取り処理部３１７、逆変換テーブル生成部３１８、およびレベル変換処理部３１９を有する。
【００９０】
図１２に示した４Ｋ２Ｋ静止画像伝送システム１０Ｄの構成において、４Ｋ２Ｋ信号記録・再生装置２０Ｄでは、図８に示したＦＨＤ信号重畳領域に従って必要な部分画領域をバッファメモリ２０３へ書き出す。
また、４Ｋ２Ｋ信号記録・再生装置２０Ｄでは、マーカー信号として画素データの最小値から最大値まで最小画素レベル単位でステップアップするリニア信号をサブデータ重畳領域ＳＤＡの指定された位置へ書き込む。
４Ｋ２Ｋ信号記録・再生装置２０Ｄでは、書き込みが完了した時点で、同期信号発生回路２０４が出力する同期信号ＶＰ，ＨＰに従いバッファメモリ２０３より４Ｋ２Ｋ部分画信号を読み出す。
そして、４Ｋ２Ｋ信号記録・再生装置２０Ｄでは、同期信号重畳部２０５で同期信号を重畳したあとＦＨＤ部分画信号として４Ｋ２Ｋ信号記録・再生装置２０ＤよりＦＨＤ信号伝送路４０へ出力する。
【００９１】
４Ｋ２Ｋ信号再生装置３０Ｄにおいては、同期信号ＶＰ，ＨＰよりＦＨＤ部分画信号のサブデータ領域ＳＤＡに重畳されたリニア信号が重畳されている位置情報を読み取りＴＧ３０３で生成し、マーカー読み取り処理部３１７によりリニア信号を読み取る。
４Ｋ２Ｋ信号記録・再生装置２０Ｄで重畳したリニア信号は画素データのすべてのレベル値が含まれており、読み取った画素値の位置情報から４Ｋ２Ｋ信号記録・再生装置２０Ｄで挿入した画素値が分かる。
以上の対応を利用して、逆変換テーブル生成部３１８において、読み取り側画素値から元信号の画素値へ変換する逆変換テーブルデータを生成する。
このとき、読み取ったリニア信号に含まれなかった画素値に対しては、読み取りリニア信号に含まれる画素値より補完してすべての画素値に対する逆変換テーブルデータを生成する。
次に、レベル変換処理部３１９において先に生成した逆変換テーブルデータに従って、入力部分画像を逆レベル変換し、４Ｋ２Ｋ信号記録・再生装置２０Ｄで創出された部分画像と同じ信号レベルへ補正する。
さらに補正された補正された部分画像に対して境界処理を行う。
【００９２】
上記処理により、サブデータ領域にマーカー信号として画素データの最小値から最大値までリニアに変化するレベル信号を重畳し、４Ｋ２Ｋ信号再生装置３０Ｄで入力信号に重畳されたマーカー信号から逆変換テーブルを生成しレベル変換することにより部分画像毎のバラツキを補正することができる。
【００９３】
次に、４Ｋ２Ｋ信号記録・再生装置２０Ｄにおいて、ＦＨＤ部分画信号のサブデータ領域ＳＤＡに、マーカー信号としてＲＧＢ３色の１２．５ＩＲＥ，５０ＩＲＥ，８７．５ＩＲＥを表すレベル信号を重畳する場合について説明する。
この場合、４Ｋ２Ｋ信号再生装置３０Ｄで重畳されたＲＧＢレベル信号が元のマーカー信号と同じレベルになるように、入力部分画のＲＧＢレベル補正を行い、入力部分画像のばらつきを補正して４Ｋ２Ｋ静止画を再生する例について説明する。
【００９４】
図１２に示した４Ｋ２Ｋ静止画像伝送システム１０Ｄの構成において、４Ｋ２Ｋ信号記録・再生装置２０Ｄでは、図８に示したＦＨＤ信号重畳領域に従って必要な部分画領域をバッファメモリ２０３へ書き出す。また、４Ｋ２Ｋ信号記録・再生装置２０では、マーカー信号としてＲＧＢ３色の１２．５ＩＲＥ，５０ＩＲＥ，８７．５ＩＲＥを表すレベル信号をサブデータ重畳領域の指定された位置へ書き込む。
４Ｋ２Ｋ信号記録・再生装置２０Ｄでは、書き込みが完了した時点で、同期信号発生回路２０４が出力する同期信号ＶＰ，ＨＰに従いバッファメモリ２０３より４Ｋ２Ｋ部分画信号を読み出す。
そして、４Ｋ２Ｋ信号記録・再生装置２０Ｄでは、同期信号重畳部２０５で同期信号を重畳したあとＦＨＤ部分画信号として４Ｋ２Ｋ信号記録・再生装置２０ＤよりＦＨＤ信号伝送路４０へ出力する。
【００９５】
４Ｋ２Ｋ信号再生装置３０Ｄでは、同期信号ＶＰ，ＨＰよりＦＨＤ部分画信号のサブデータ領域に重畳されたＲＧＢ３色レベル信号が重畳されている位置情報を読み取りＴＧ３０３で生成し、マーカー読み取り処理部３１７によりＲＧＢ３色レベル信号を読み取る。
逆変換テーブル生成部３１８において、読み取ったＲＧＢ３色レベル値より元信号のＲＧＢ信号へ変換する逆変換テーブルデータを生成する。
次に、レベル変換処理部３１９において先に生成した逆変換テーブルデータに従って、入力部分画像を逆レベル変換し、４Ｋ２Ｋ信号記録・再生装置２０Ｄで送出された部分画像と同じ信号レベルへ補正する。
さらに補正された補正された部分画像に対して境界処理を行う。
【００９６】
［逆変換テーブルの生成］
次に、ＲＧＢ３色レベル信号より逆変換テーブルの生成ついて、Ｇ信号を例に図１３に関連付けて説明する。
図１３（Ａ）〜（Ｃ）は、本実施形態に係る変換テーブルについて説明するための図である。
【００９７】
図１３（Ａ）は、レベル対応図である。
図１３（Ａ）において、横軸は上記マーカー読み取り処理により得られたＧ信号レベルを示している。縦軸はＦＨＤ部分画信号に重畳されたＧ信号レベルを示している。
読み取り処理で得られた小レベル値はＦＨＤ部分画信号に１２．５ＩＲＥの信号レベルで重畳されたＧ信号に対応しており、入力部分画Ｇ信号の小レベル値は１２．５ＩＲＥの信号レベルへ変換される必要がある。
同じく読み取り処理で得られた中レベル値は５０ＩＲＥの信号レベルへ、大レベル値は８７．５ＩＲＥの信号レベルへ対応し、それぞれの信号レベル値へ変換される必要がある。
【００９８】
図１３（Ｂ）は、第１の変換テーブル例を示す図である。図１３（Ｃ）は、第２の変換テーブル例を示す図である。
変換テーブルは先の小中大のレベル変換点を通る関数である必要がある。
図１３（Ｂ）の第１の変換テーブル例では、各変換点間を直線で補完した変換テーブルを示している。
図１３（Ｃ）の第２の変換テーブル例では、各変換点間を２次関数で補完した変換テーブルを示している。
【００９９】
以上説明したように、本実施形態によれば、以下の効果を得ることができる。
４Ｋ２Ｋ静止画表示装置に４Ｋ２Ｋ静止画像を表示する際に、ＦＨＤ信号伝送規格しか対応していない記録再生装置においても次の利点を有する。
すなわち、比較的容易なソフトウェア、信号処理プログラムの修正を行うことにより、ＦＨＤ信号伝送路を使用して容易に４Ｋ２Ｋ信号再生装置に４Ｋ２Ｋ画像データを送出できるようになる。
また、本実施形態においては、伝送されるＦＨＤ部分画信号へ、あらかじめ計測した部分画像の特徴量や、基準となるマーカー信号を重畳し４Ｋ２Ｋ信号再生装置で、入力部分画像の特徴量や基準マーカー信号を計測値し、差分を補正する。
これにより、分割された部分画を複数フレームにわたって伝送しても、部分画境界がなめらかに連続したきれいな４Ｋ２Ｋ静止画像を合成することが可能となる。
【０１００】
なお、本技術は以下のような構成をとることができる。
（１）記録された第１の解像度の第１の画像信号をあらかじめ定められた領域マップに従って複数の部分画像に分割する分割部と、
上記分割部で分割された領域の部分画像を順次読み出し、上記第１の解像度より低い第２の解像度の第２の画像信号の決められた場所に上記部分画像を重畳する重畳部と、
上記部分画像に対応した部分画ナンバー情報を部分画像と同期して上記第２の解像度の上記第２の画像信号に重畳して伝送路に送出する送出部と
を有する画像送信装置。
（２）上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向の画素数を上記第２の解像度の第２の画像信号の水平方向の画素数で除した値より大きい整数として、
水平垂直とも略等分割で領域マップを作成して上記第１の画像信号を分割し、
上記重畳部は、
分割された部分画像を上記第２の解像度の第２の画像信号へ重畳する際に、
上記第１の解像度の第１の画像信号の４隅にあたる部分画像は、上記第２の解像度の第２の画像信号の対応する４隅に合わせ、
上下左右辺に接する部分画像は、上記第２の解像度の第２の画像信号の対応する辺に合わせ、
４隅にあたる部分画像および上下左右に接する部分画像以外は、部分画像が上記第２の解像度の第２の画像信号の中央になるように配置し、
上記第１の解像度の第１の画像信号の部分画像領域を含む上記第２の解像度の第２の画像信号の画素分の画像信号を、当該第２の解像度の第２の画像信号に重畳する
上記（１）記載の画像送信装置。
（３）上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向に画素数を上記第２の解像度の第２の画像信号の水平方向の有効画素数より少ない画像数で除した値より大きい整数として、
水平垂直とも略等分割で領域マップを作成して上記第１の画像信号を分割し、
上記重畳部は、
分割された部分画像を、上記第２の解像度の第２の画像信号の垂直方向のライン数と第２の解像度の第２の画像信号に水平方向の画素数より少ない画像数とに応じた範囲をもって形成される上記第２の解像度の第２の画像信号の画素領域へ重畳する際に、
上記第１の解像度の第１の画像信号の４隅にあたる部分画像は、上記第２の解像度の第２の画像信号の上記画素領域の対応する４隅に合わせ、
上下左右辺に接する部分画像は、上記第２の解像度の第２の画像信号の上記画素領域の対応する辺に合わせ、
４隅にあたる部分画像および上下左右に接する部分画像以外は、部分画像が上記第２の解像度の第２の画像信号の上記画素領域の中央になるように配置し、
上記第１の解像度の第１の画像信号の部分画像領域を含む上記第２の解像度の第２の画像信号の上記画素領域分の画像信号を、当該第２の解像度の第２の画像信号に重畳し、
上記送出部は、
上記第１の解像度の第１の画像信号を重畳していない余白部分である上記第２の解像度の第２の画像信号のサブデータ領域に上記部分画ナンバー情報を部分画像と同期して重畳する
上記（１）記載の画像送信装置。
（４）部分画像の特徴量を計測する計測部を有し、
上記送出部は、
上記計測部で計測した特徴量値を部分画像と同期して上記第２の解像度の第２の信号の上記余白部分である上記サブデータ領域に重畳する
上記（３）記載の画像送信装置。
（５）上記重畳部は、
上記第２の解像度の第２の信号の上記余白部分である上記サブデータ領域にマーカー信号を重畳する
上記（３）記載の画像送信装置。
（６）第１の解像度の第１の画像信号をあらかじめ定められた領域マップに従って複数に分割した部分画像が、上記第１の解像度より低い第２の解像度の第２の画像信号の決められた場所に重畳され、かつ、上記部分画像に対応した部分画ナンバー情報が部分画像と同期して上記第２の解像度の上記第２の画像信号に重畳された受信信号を受信する受信部と、
上記受信信号である上記第２の解像度の第２の画像信号に重畳された部分画ナンバー情報を読み出す部分画ナンバー情報読み出し部と、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、
生成されたアドレスに従って上記第２の解像度の第２の画像信号に重畳された部分画像を書き込む書き込み部と、
順次入力される上記第２の解像度の第２の画像信号に重畳された複数の部分画像から元の上記第１の解像度の第１の画像信号すべてが書き込まれたかを判定する判定部と、
すべて書き込まれたと判定された後、書き込まれた上記第１の解像度の第１の画像信号を再生する再生部と
を有する画像受信装置。
（７）上記受信信号には、上記第１の解像度の第１の画像信号の部分画像の特徴量の計測値が重畳されており、
上記受信信号である上記第２の解像度の第２の画像信号に重畳された部分画像から前記特徴量を計測する計測部と、
上記受信信号に重畳されている特徴量の計測値と上記計測部で計測した特徴量の差分をなくすように少なくとも受信した部分画像レベルを補正する補正部と、を含む
上記（６）記載の画像受信装置。
（８）上記受信信号である上記第２の解像度の第２の画像信号には、マーカー信号が重畳されており、
上記受信信号である上記第２の解像度の第２の画像信号に重畳されたマーカー信号を計測する計測部と、
上記受信信号である上記第２の解像度の第２の画像信号に重畳されている元のマーカー信号と上記計測部で計測したマーカー信号の差分をなくすように少なくとも受信した部分画像レベルを補正する補正部と、を含む
上記（６）記載の画像受信装置。
（９）上記受信信号である上記第２の解像度の第２の画像信号には、マーカー信号が重畳されており、
上記マーカー信号が最小レベルから最大レベルまでリニアに変化するレベル信号であり、
上記受信信号である上記第２の解像度の第２の画像信号に重畳されたマーカー信号のレベルを計測する計測部と、
計測されたレベル信号を上記受信信号に重畳されているマーカー信号のレベル信号と同じレベルにするような変換テーブルデータを作成するテーブル作成部と、
作成された変換テーブルデータを使用して受信された部分画像を、上記第２の解像度の第２の画像信号に重畳された部分画像と同じ信号レベルになるように変換するレベル変換処理部と、を含む
上記（６）記載の画像受信装置。
（１０）第１の解像度の第１の画像信号を上記第１の解像度より低い第２の解像度の第２の画像信号に重畳して送出する画像送信装置と、
上記画像送信装置から送出された上記第２の解像度の第２の画像信号を受信し、当該第２の画像信号に重畳された第１の解像度の第１の画像信号を再生する画像受信装置と、を有し、
上記画像送信装置は、
記録された上記第１の解像度の第１の画像信号をあらかじめ定められた領域マップに従って複数の部分画像に分割する分割部と、
上記分割部で分割された領域の部分画像を順次読み出し、上記第１の解像度より低い上記第２の解像度の第２の画像信号の決められた場所に上記部分画像を重畳する重畳部と、
上記部分画像に対応した部分画ナンバー情報を部分画像と同期して上記第２の解像度の上記第２の画像信号に重畳して伝送路に送出する送出部と、を含み、
上記画像受信装置は、
受信信号である上記第２の解像度の第２の画像信号に重畳された部分画ナンバー情報を読み出す部分画ナンバー情報読み出し部と、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成部と、
生成されたアドレスに従って上記第２の解像度の第２の画像信号に重畳された部分画像を書き込む書き込み部と、
順次入力される上記第２の解像度の第２の画像信号に重畳された複数の部分画像から元の上記第１の解像度の第１の画像信号すべてが書き込まれたかを判定する判定部と、
すべて書き込まれたと判定された後、書き込まれた上記第１の解像度の第１の画像信号を再生する再生部と、を含む
画像伝送システム。
（１１）上記画像送信装置において、
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向の画素数を上記第２の解像度の第２の画像信号の水平方向の画素数で除した値より大きい整数として、
水平垂直とも略等分割で領域マップを作成して上記第１の画像信号を分割し、
上記重畳部は、
分割された部分画像を上記第２の解像度の第２の画像信号へ重畳する際に、
上記第１の解像度の第１の画像信号の４隅にあたる部分画像は、上記第２の解像度の第２の画像信号の対応する４隅に合わせ、
上下左右辺に接する部分画像は、上記第２の解像度の第２の画像信号の対応する辺に合わせ、
４隅にあたる部分画像および上下左右に接する部分画像以外は、部分画像が上記第２の解像度の第２の画像信号の中央になるように配置し、
上記第１の解像度の第１の画像信号の部分画像領域を含む上記第２の解像度の第２の画像信号の画素分の画像信号を、当該第２の解像度の第２の画像信号に重畳する
上記（１０）記載の画像伝送システム。
（１２）上記画像送信装置において、
上記分割部は、
上記第１の解像度の第１の画像信号に対して垂直方向の分割数を、当該第１の解像度の垂直方向のライン数を上記第２の解像度の第２の画像信号の垂直方向のライン数で除した値より大きい整数とし、
水平方向の分割数を、上記第１の解像度の第１の画像信号の水平方向に画素数を上記第２の解像度の第２の画像信号の水平方向の有効画素数より少ない画像数で除した値より大きい整数として、
水平垂直とも略等分割で領域マップを作成して上記第１の画像信号を分割し、
上記重畳部は、
分割された部分画像を、上記第２の解像度の第２の画像信号の垂直方向のライン数と第２の解像度の第２の画像信号に水平方向の画素数より少ない画像数とに応じた範囲をもって形成される上記第２の解像度の第２の画像信号の画素領域へ重畳する際に、
上記第１の解像度の第１の画像信号の４隅にあたる部分画像は、上記第２の解像度の第２の画像信号の上記画素領域の対応する４隅に合わせ、
上下左右辺に接する部分画像は、上記第２の解像度の第２の画像信号の上記画素領域の対応する辺に合わせ、
４隅にあたる部分画像および上下左右に接する部分画像以外は、部分画像が上記第２の解像度の第２の画像信号の上記画素領域の中央になるように配置し、
上記第１の解像度の第１の画像信号の部分画像領域を含む上記第２の解像度の第２の画像信号の上記画素領域分の画像信号を、当該第２の解像度の第２の画像信号に重畳し、
上記送出部は、
上記第１の解像度の第１の画像信号を重畳していない余白部分である上記第２の解像度の第２の画像信号のサブデータ領域に上記部分画ナンバー情報を部分画像と同期して重畳し、
上記画像受信装置は、
受信信号である上記第２の解像度の第２の画像信号の上記サブデータ領域に重畳された部分画ナンバー情報を読み出す読み出し部を含む
上記（１０）記載の画像伝送システム。
（１３）上記画像送信装置は、
部分画像の特徴量を計測する送信側計測部を有し、
上記送出部は、
上記計測部で計測した特徴量値を部分画像と同期して上記第２の解像度の第２の信号の上記余白部分である上記サブデータ領域に重畳し、
上記画像受信装置は、
上記受信信号である上記第２の解像度の第２の画像信号に重畳された部分画像から前記特徴量を計測する受信側計測部と、
上記受信信号である第２の解像度の第２の画像信号に重畳されている特徴量の計測値と上記計測部で計測した特徴量の差分をなくすように少なくとも受信した部分画像レベルを補正する補正部と、を含む
上記（１２）記載の画像伝送システム。
（１４）上記特徴量が部分画像の平均値または中央値であり、
上記画像受信装置において、
上記補正部は、
上記受信信号である上記第２の解像度の第２の画像信号に重畳されている部分画像の平均値または中央値が、当該第２の解像度の第２の画像信号に重畳された平均値または中央値になるように受信した部分画像レベルを補正する
上記（１３）記載の画像伝送システム。
（１５）上記特徴量が部分画像の平均値と分散値、または中央値と分散値であり、
上記画像受信装置において、
上記受信側計測部は、
上記受信信号である上記第２の解像度の第２の画像信号に重畳された部分画像の平均値または中央値、および分散値を計測し、
上記補正部は、
上記受信信号である上記第２の解像度の第２の画像信号に重畳されている部分画像の平均値または中央値、および分散値が、当該第２の解像度の第２の画像信号に重畳された平均値または中央値、および分散値になるように受信した部分画像レベルおよびゲインを補正する
上記（１３）記載の画像伝送システム。
（１６）上記画像送信装置において、
上記重畳部は、
上記第２の解像度の第２の画像信号の上記余白部分である上記サブデータ領域にマーカー信号を重畳し、
上記画像受信装置は、
上記受信信号である上記第２の解像度の第２の画像信号に重畳されたマーカー信号を計測する計測部と、
上記受信信号に重畳されている元のマーカー信号と上記計測部で計測したマーカー信号の差分をなくすように少なくとも受信した部分画像レベルを補正する補正部と、を含む
上記（１２）記載の画像伝送システム。
（１７）上記受信信号である上記第２の解像度の第２の画像信号には、マーカー信号が重畳されており、
上記マーカー信号が最小レベルから最大レベルまでリニアに変化するレベル信号であり、
上記画像受信装置は、
上記受信信号である上記第２の解像度の第２の画像信号に重畳されたマーカー信号のレベルを計測する計測部と、
計測されたレベル信号を上記受信信号に重畳されているマーカー信号のレベル信号と同じレベルにするような変換テーブルデータを作成するテーブル作成部と、
作成された変換テーブルデータを使用して受信された部分画像を、上記第２の解像度の第２の画像信号に重畳された部分画像と同じ信号レベルになるように変換するレベル変換処理部と、を含む
請求項１０、１２または１６記載の画像伝送システム。
（１８）上記受信信号である上記第２の解像度の第２の画像信号には、マーカー信号が重畳されており、
上記マーカー信号がＲＧＢ３色の１２．５ＩＲＥ，５０ＩＲＥ，８７．５ＩＲＥを表すレベル信号であり、
上記画像受信装置は、
ＦＨＤ信号に重畳されたマーカー信号のレベルを計測する計測する計測部と、
計測されたＲＧＢレベル信号が０，５０，１００ＩＲＥレベルになるように受信された部分画像のＲＧＢレベル補正を行う補正部と、を含む
請求項１０、１２または１６記載の画像伝送システム。
（１９）第１の解像度の第１の画像信号を上記第１の解像度より低い第２の解像度の第２の画像信号に重畳して送出する画像送信ステップと、
上記画像送信ステップで送出された上記第２の解像度の第２の画像信号を受信し、当該第２の画像信号に重畳された第１の解像度の第１の画像信号を再生する画像受信ステップと、を有し、
上記画像送信ステップは、
記録された上記第１の解像度の第１の画像信号をあらかじめ定められた領域マップに従って複数の部分画像に分割する分割ステップと、
上記分割ステップで分割された領域の部分画像を順次読み出し、上記第１の解像度より低い上記第２の解像度の第２の画像信号の決められた場所に上記部分画像を重畳する重畳ステップと、
上記部分画像に対応した部分画ナンバー情報を部分画像と同期して上記第２の解像度の上記第２の画像信号に重畳して伝送路に送出する送出ステップと、を含み、
上記画像受信ステップは、
受信信号である上記第２の解像度の第２の画像信号に重畳された部分画ナンバー情報を読み出す部分画ナンバー情報読み出しステップと、
読み出した部分画ナンバー情報に従って上記第２の画像信号に重畳された上記第１の解像度の第１の画像信号の部分画像を元の当該第１の解像度の第１の画像信号領域へ書き込むためのアドレスを生成する書き込みアドレス生成ステップと、
生成されたアドレスに従って上記第２の解像度の第２の画像信号に重畳された部分画像を書き込む書き込みステップと、
順次入力される上記第２の解像度の第２の画像信号に重畳された複数の部分画像から元の上記第１の解像度の第１の画像信号すべてが書き込まれたかを判定する判定ステップと、
すべて書き込まれたと判定された後、書き込まれた上記第１の解像度の第１の画像信号を再生する再生ステップと、を含む
画像伝送方法。
【符号の説明】
【０１０１】
１０，１０Ａ〜１０Ｄ・・・４Ｋ２Ｋ静止画像伝送システム、２０，２０Ａ〜２０Ｄ・・・４Ｋ２Ｋ信号記録・再生装置（画像送信装置）、２０１・・・ＣＰＵ、２０２・・・記憶装置、２０３・・・バッファメモリ、２０４・・・同期信号発生回路、３０５・・・同期信号重畳部、３０，３０Ａ〜３０Ｄ・・・４Ｋ２Ｋ信号再背装置（画像受信装置）、３０１・・・フレームメモリ、３０２・・・同器分離処理部、３０３・・・読み取りタイミング生成部（読み取りＴＧ）、３０４・・・ナンバー読み取り処理部、３０５・・・書き込アドレス生成部、３０６・・・書き込タイミング生成部（書き込みＴＧ）、３０７・・・書き込み完了判定部、３０８・・・書き込み制御部、３０９・・・読み出し制御部、３１０，３１０Ｃ・・・サブデータ読み取り処理部、３１１・・・平均値計測部、３１１Ｃ・・・平均値／中央値計測図、３１２，３１２Ｃ・・・差分算出部、３１３，３１３Ｃ・・・レベル補正部、３１４・・・境界処理部、３１５・・・分散値計測部、３１６・・・ゲイン補正部、３１７・・・マーカー読み取り処理部、３１８・・・逆変換テーブル生成部、３１９・・・レベル変換処理部、３２０・・・受信部、４０・・・ＦＨＤ信号伝送路。
【図１】
2013126095.tif 000003
【図２】
2013126095.tif 000004
【図３】
2013126095.tif 000005
【図４】
2013126095.tif 000006
【図５】
2013126095.tif 000007
【図６】
2013126095.tif 000008
【図７】
2013126095.tif 000009
【図８】
2013126095.tif 000010
【図９】
2013126095.tif 000011
【図１０】
2013126095.tif 000012
【図１１】
2013126095.tif 000013
【図１２】
2013126095.tif 000014
【図１３】
2013126095.tif 000015